(57)【要約】【課題】コストをより低減しながらパネル表示装置の表示特性の設定を調節することを可能にするための技術を提供する。【解決手段】表示コントローラドライバ２が、テストモードに設定するだけで、表示装置１０の表示特性に用いられる画像（評価用画像）を順次に切り換えながら表示する動作を行うように構成されている。当該表示コントローラドライバ２は、評価用画像の切り替えに使用されるタイミング制御信号も、表示コントローラドライバ２自らが生成するように構成されている。【選択図】図６
2014137585.tif 000002
【特許請求の範囲】
【請求項１】
表示パネルを駆動する表示パネルドライバであって、
画像データ生成部と、
前記画像データ生成部から供給された画像データに対して補正演算を行って補正後画像データを生成する輝度補正回路と、
前記補正後画像データに応答して前記表示パネルを駆動する駆動部と、
タイミング制御信号を出力する表示タイミング生成部
とを具備し、
前記補正演算は、設定により調整可能であり、
前記表示タイミング生成部は、前記表示パネルドライバが第１状態に設定されたときに、その内部に設けられた表示タイミング生成回路によって生成された内部タイミング制御信号を前記タイミング制御信号として出力し、
前記画像データ生成部は、前記表示パネルドライバが前記第１状態に設定されたときに、その内部に設けられた評価用画像データ生成回路によって生成された、評価用画像に対応する評価用画像データを、前記輝度補正回路に供給される前記画像データとして出力し、
前記表示パネルドライバが前記第１状態に設定されたとき、前記評価用画像データ生成回路は、前記タイミング制御信号に応答して前記表示パネルの表示部に表示される前記評価用画像が切り替えられるように前記評価用画像データを生成する
表示パネルドライバ。
【請求項２】
請求項１に記載の表示パネルドライバであって、
前記表示パネルドライバが前記第１状態と異なる第２状態に設定されたときに、前記画像データ生成部は、外部から供給された外部画像データを前記輝度補正回路に供給する前記画像データとして出力する
表示パネルドライバ。
【請求項３】
請求項２に記載の表示パネルドライバであって、
前記表示パネルドライバは、更に、外部から供給された外部タイミング制御データから外部タイミング制御信号を生成する処理部を備え、
前記表示パネルドライバが前記第１状態と異なる第２状態に設定されたときに、前記画像データ生成部は、外部タイミング制御信号を前記タイミング制御信号として出力する
表示パネルドライバ。
【請求項４】
請求項１又は２に記載の表示パネルドライバであって、
更に、
前記補正演算における、前記画像データ生成部から供給された前記画像データと、前記補正後画像データとの間の対応関係を指定する補正パラメータ値を、不揮発的に、且つ、書き換え可能であるように記憶する不揮発性記憶部を備えている
表示パネルドライバ。
【請求項５】
請求項４に記載の表示パネルドライバであって、
更に、
インターフェース処理部を具備し、
前記インターフェース処理部は、補正パラメータ値書き込みコマンドを受け取ると、前記不揮発性記憶部に、前記補正パラメータ値書き込みコマンドに記述されている補正パラメータ値を前記不揮発性記憶部に書き込む
表示パネルドライバ。
【請求項６】
請求項１乃至４のいずれかに記載の表示パネルドライバであって、
前記評価用画像データ生成回路は、前記表示パネルドライバが前記第１状態に設定されたときに、所定数のフレーム期間を周期として前記評価用画像が切り替えられるように前記評価用画像データを生成する
表示パネルドライバ。
【請求項７】
請求項１乃至４のいずれかに記載の表示パネルドライバであって、
前記評価用画像データ生成回路は、前記評価用画像の各画素の赤色の階調、緑色の階調及び青色の階調が同一の階調値であるように前記評価用画像データを生成し、且つ、前記評価用画像を切り替える場合、前記評価用画像データに記述された前記階調値を変化させる
表示パネルドライバ。
【請求項８】
請求項１乃至４のいずれかに記載の表示パネルドライバであって、
前記表示タイミング生成回路は、前記表示パネルドライバが前記第１状態に設定されたときに、前記評価用画像の前記表示部への表示が開始されることを示す第１制御信号と、前記評価用画像が切り換えられることを示す第２制御信号とを外部に出力する
表示パネルドライバ。
【請求項９】
請求項４に記載の表示パネルドライバであって、
更に、
前記表示パネルの前記表示部に表示された評価用画像の画像特性を測定する表示特性測定装置を制御する表示特性測定装置制御信号を生成する制御信号生成部と、
前記表示特性測定装置から受け取った前記画像特性の測定データに基づいて、前記画像データ生成部から供給された前記画像データと、前記補正後画像データとの間の対応関係を指定する補正パラメータ値を算出する補正パラメータ算出部とを具備し、
前記補正パラメータ算出部によって算出された前記補正パラメータ値が、前記不揮発性記憶部に書き込まれる
表示パネルドライバ。
【請求項１０】
請求項９に記載の表示パネルドライバであって、
前記制御信号生成部は、前記表示パネルドライバが前記第１状態に設定されたことに応答して、前記表示特性測定装置に前記評価用画像の画像特性の測定を開始させる
表示パネルドライバ。
【請求項１１】
請求項１乃至１０のいずれかに記載の表示パネルドライバであって、
前記表示パネルドライバは、更に、レジスタを備えており、
前記レジスタに所定値を設定することにより、前記表示パネルドライバは前記第１状態に設定される
表示パネルドライバ。
【請求項１２】
請求項１乃至１０のいずれかに記載の表示パネルドライバであって、
前記表示パネルドライバに供給されるテストイネーブル信号を活性化することにより、前記表示パネルドライバは前記第１状態に設定される
表示パネルドライバ。
【請求項１３】
表示パネルと、
前記表示パネルを駆動する表示パネルドライバ
とを具備し、
前記表示パネルドライバが、
画像データ生成部と、
前記画像データ生成部から供給された画像データに対して補正演算を行って補正後画像データを生成する輝度補正回路と、
前記補正後画像データに応答して前記表示パネルを駆動する駆動部と、
タイミング制御信号を出力する表示タイミング生成部
とを具備し、
前記補正演算は、設定により調整可能であり、
前記表示タイミング生成部は、前記表示パネルドライバが第１状態に設定されたときに、その内部に設けられた表示タイミング生成回路によって生成された内部タイミング制御信号を前記タイミング制御信号として出力し、
前記画像データ生成部は、前記表示パネルドライバが前記第１状態に設定されたときに、その内部に設けられた評価用画像データ生成回路によって生成された、評価用画像に対応する評価用画像データを、前記輝度補正回路に供給される前記画像データとして出力し、
前記表示パネルドライバが前記第１状態に設定されたとき、前記評価用画像データ生成回路は、前記タイミング制御信号に応答して前記表示パネルの表示部に表示される前記評価用画像が切り替えられるように前記評価用画像データを生成する
表示装置。
【請求項１４】
請求項１３に記載の表示装置であって、
更に、
外部画像データを前記表示パネルドライバに供給するコントローラを具備し、
前記表示パネルドライバが前記第１状態と異なる第２状態に設定されたときに、前記画像データ生成部は、前記コントローラから供給された前記外部画像データを前記輝度補正回路に供給する前記画像データとして出力する
表示装置。
【請求項１５】
請求項１４に記載の表示装置であって、
前記コントローラは、外部タイミング制御データを前記表示パネルドライバに供給し、
前記表示パネルドライバは、更に、前記コントローラから供給された外部タイミング制御データから外部タイミング制御信号を生成する処理部を備え、
前記表示パネルドライバが前記第１状態と異なる第２状態に設定されたときに、前記画像データ生成部は、外部タイミング制御信号を前記タイミング制御信号として出力する
表示装置。
【請求項１６】
外部から供給される外部画像データに対して補正演算を行い、補正後画像データを生成する輝度補正回路と、前記補正後画像データに応答して前記表示パネルを駆動する駆動部とを備える表示パネルドライバとの通信に用いられる第１インターフェース処理部と、
前記表示パネルの表示部に表示された評価用画像の画像特性を測定する表示特性測定装置との通信に用いられる第２インターフェース処理部と、
補正パラメータ算出装置
とを具備し、
前記補正パラメータ算出装置は、
前記表示パネルを駆動する表示パネルドライバを、前記評価用画像を表示部に表示する状態に設定する設定手段と、
表示パネルの表示部に表示された評価用画像の画像特性を測定する表示特性測定装置を制御する表示特性測定装置制御信号を生成する制御信号生成手段と、
前記表示特性測定装置から受け取った前記画像特性の測定データに基づいて、前記補正演算における、前記外部画像データと前記補正後画像データとの間の対応関係を指定する補正パラメータ値を算出する補正パラメータ算出手段
とを具備し、
前記補正パラメータ算出手段は、算出した前記補正パラメータ値を記述した補正パラメータ書き込みコマンドを、前記第１インターフェース処理部を介して前記表示パネルドライバに送信する
調整装置。
【請求項１７】
請求項１６に記載の調整装置であって、
前記評価用画像は、各画素の赤色の階調、緑色の階調及び青色の階調が同一の階調値であるように生成され、且つ、前記階調値を変化させることで前記評価用画像が切り替えられ、
前記補正パラメータ算出手段は、前記表示特性測定装置から受け取った前記画像特性の測定データに示された輝度の変化に基づいて、前記評価用画像の切り替えを検出し、
前記補正パラメータ算出手段は、前記評価用画像の階調の最大値に対応する第１レジスタ値と前記評価用画像が切り替える際の前記階調値の変化の大きさを示す第２レジスタ値とを前記表示パネルドライバから受け取り、前記第１レジスタ値と前記第２レジスタ値とから前記評価用画像の数を算出し、前記測定データに示された輝度の順に前記測定データをソートすると共に、算出した前記評価用画像の数と前記第２データとを用いて階調値と前記測定データとの対応を決定する
調整装置。
【発明の詳細な説明】
【技術分野】
【０００１】
本発明は、表示パネルドライバ、パネル表示装置、及び、調整装置に関し、特に、表示パネルドライバによって駆動される表示パネルに適正な表示画像を表示させるための表示パネルドライバの調整に関する。
【背景技術】
【０００２】
液晶表示装置その他のパネル表示装置では、入力画像データに対して正確な出力画像を得るために、表示特性の調整を行う必要がある。調節すべき表示特性としては、例えば、ホワイトポイントの色温度（ホワイトバランス）及びガンマ値が挙げられる。
【０００３】
ホワイトポイントの色温度は画像の色味に影響する。近年の表示装置の多くは、ホワイトポイントの色温度を６５０４Ｋ（色度座標（ｘ，ｙ）＝（０．３１３，０．３２９））に調節することが標準とされている。このとき、表示装置の設定は、赤色、緑色、青色の階調が同一値であるようなグレースケール画像について、当該階調が任意の値であってもホワイトポイントの色温度が標準値で一定になるように調節される必要がある。
【０００４】
図１は、各画素の各色（赤色、緑色、青色）の階調がそれぞれ８ビットで表わされている画像データに基づいて画像が表示されるノーマリーブラック液晶表示装置において、ホワイトポイントの色温度が６５０４Ｋに調整されている例を示す。各画素の赤色、緑色、青色の階調が同一値であるようなグレースケール画像について、当該階調が、００ｈ階調からＦＦｈ階調の任意の値であっても、ホワイトポイントが一定の色温度６５０４Ｋに保たれるように、色温度が調節される。ここで、“ｈ”は、１６進法で記載されていることを示している。
【０００５】
一方、ガンマ値は、画像データの階調と、画素の実際の輝度の間の関係の線形性に影響する。表示装置の入出力特性は、入力信号をＶＩＮ、出力信号をＶＯＵＴとすると下記式で表現され、下記式に現れるγをガンマ値という。
ＶＯＵＴ＝ＶＩＮγ
表示装置の多くは、ガンマ値γが２．２に設定されることが標準とされており、表示装置は、一般に、各画素の赤色、緑色、青色の階調が同一値であるようなグレースケール画像を階調を変えながら表示した場合のガンマ値γが２．２となるように設定される。図２は、各画素の各色（赤色、緑色、青色）の階調を８ビットで表わす画像データ（即ち、各色を２５６（＝２８）階調で表現する画像データ）に対応したノーマリーブラック液晶表示装置で、ガンマ値が２．２に調整されている例を示す。
【０００６】
一つの問題は、カラーフィルタやバックライトの個体ばらつきにより、パネル表示装置の表示特性、例えば、ホワイトポイントの色温度及びガンマ値が、パネル表示装置ごとにばらつきを持つことである。製品としての品質を向上するためには、このような装置ごとのばらつきを補償することが望ましい。
【０００７】
パネル表示装置の表示特性の調整の一つの手法は、表示パネルを駆動する表示パネルドライバに内蔵された輝度補正回路の設定を調節することである。輝度補正回路とは、表示パネルドライバに入力された入力画像データに対して補正演算を行う回路であり、輝度補正回路による補正演算で得られた画像データ（補正後の画像データ）が、表示パネルへの画像の表示に用いられる。この輝度補正回路の設定を調節することにより、ホワイトポイントの色温度やガンマ値を調整し、表示装置ごとのばらつきを補償することができる。
【０００８】
このような技術に関連して、特許文献１（特開平５−０６４０３７号公報)は、映像信号を外部から液晶表示装置に入力しながら液晶表示装置から得られる光変調出力の輝度を測定し、その測定結果からγ補正装置のγ補正データの調整を行う技術を開示している。
【０００９】
しかしながら、特許文献１に開示された技術では、γ補正装置の設定の調整の際に、映像信号（即ち、画像データ）を液晶表示装置に入力する必要があり、これは、γ補正装置の設定に用いられる調整装置が、映像信号を液晶表示装置に供給する機能を有する必要があることを意味している。映像信号を液晶表示装置に供給する機能を調整装置に与えることは、調整装置のコストが増大することを意味している。このような問題は、近年の高速シリアルインターフェースが採用されたパネル表示装置の表示パネルドライバの輝度補正回路の設定の調整において特に顕著になる。高速シリアルインターフェースでは、映像信号を高速に伝送する必要があり、調整装置に高速シリアルインターフェースで映像信号を伝送する機能を付加することは、コストを不所望に増大させる。
【先行技術文献】
【特許文献】
【００１０】
【特許文献１】特開平５−０６４０３７号公報
【発明の概要】
【発明が解決しようとする課題】
【００１１】
したがって、本発明の目的は、コストをより低減しながらパネル表示装置の表示特性の設定を調節することを可能にするための技術を提供することにある。
【課題を解決するための手段】
【００１２】
本発明の一の観点では、表示パネルを駆動する表示パネルドライバが、画像データ生成部と、画像データ生成部から供給された画像データに対して補正演算を行って補正後画像データを生成する輝度補正回路と、補正後画像データに応答して表示パネルを駆動する駆動部と、タイミング制御信号を出力する表示タイミング生成部とを具備している。輝度補正回路によって行われる補正演算は、設定により調整可能である。表示タイミング生成部は、表示パネルドライバが第１状態に設定されたときに、その内部に設けられた表示タイミング生成回路によって生成された内部タイミング制御信号をタイミング制御信号として出力する。画像データ生成部は、表示パネルドライバが第１状態に設定されたときに、その内部に設けられた評価用画像データ生成回路によって生成された、評価用画像に対応する評価用画像データを、輝度補正回路に供給される画像データとして出力する。表示パネルドライバが第１状態に設定されたとき、評価用画像データ生成回路は、タイミング制御信号に応答して表示パネルの表示部に表示される評価用画像が切り替えられるように評価用画像データを生成する。
【００１３】
本発明の他の観点では、表示装置が、表示パネルと、表示パネルを駆動する表示パネルドライバとを具備する。表示パネルドライバは、画像データ生成部と、画像データ生成部から供給された画像データに対して補正演算を行って補正後画像データを生成する輝度補正回路と、補正後画像データに応答して表示パネルを駆動する駆動部と、タイミング制御信号を出力する表示タイミング生成部とを具備する。輝度補正回路によって行われる補正演算は、設定により調整可能である。表示タイミング生成部は、表示パネルドライバが第１状態に設定されたときに、その内部に設けられた表示タイミング生成回路によって生成された内部タイミング制御信号をタイミング制御信号として出力する。画像データ生成部は、表示パネルドライバが第１状態に設定されたときに、その内部に設けられた評価用画像データ生成回路によって生成された、評価用画像に対応する評価用画像データを、輝度補正回路に供給される画像データとして出力する。表示パネルドライバが第１状態に設定されたとき、評価用画像データ生成回路は、タイミング制御信号に応答して表示パネルの表示部に表示される評価用画像が切り替えられるように評価用画像データを生成する。
【００１４】
本発明の更に他の観点では、調整装置が、外部から供給される外部画像データに対して補正演算を行い、補正後画像データを生成する輝度補正回路と、補正後画像データに応答して表示パネルを駆動する駆動部とを備える表示パネルドライバとの通信に用いられる第１インターフェース処理部と、表示パネルの表示部に表示された評価用画像の画像特性を測定する表示特性測定装置との通信に用いられる第２インターフェース処理部と、補正パラメータ算出装置とを具備する。補正パラメータ算出装置は、表示パネルを駆動する表示パネルドライバを、評価用画像を表示部に表示する状態に設定する設定手段と、表示パネルの表示部に表示された評価用画像の画像特性を測定する表示特性測定装置を制御する表示特性測定装置制御信号を生成する制御信号生成手段と、表示特性測定装置から受け取った画像特性の測定データに基づいて、補正演算における、外部画像データと補正後画像データとの間の対応関係を指定する補正パラメータ値を算出する補正パラメータ算出手段とを具備する。補正パラメータ算出手段は、算出した補正パラメータ値を記述した補正パラメータ書き込みコマンドを、第１インターフェース処理部を介して表示パネルドライバに送信する。
【発明の効果】
【００１５】
上記実施形態によれば、コストをより低減しながらパネル表示装置の表示特性の設定を調節することを可能にするための技術を提供することができる。
【図面の簡単な説明】
【００１６】
【図１】パネル表示装置のホワイトポイントの色温度の調整の例を示す概念図である。
【図２】パネル表示装置のガンマ特性の調整の例を示す概念図である。
【図３】本発明の第１の実施形態の表示装置の構成を示すブロック図である。
【図４】第１の実施形態における、通常動作モードにおける表示コントローラドライバの動作を示すタイミングチャートである。
【図５】第１の実施形態における、通常動作モードにおける表示コントローラドライバの動作を示すタイミングチャートである。
【図６】第１の実施形態において、表示装置の表示特性の調整（表示コントローラドライバの輝度補正回路の設定の調整）に用いられる調整装置及び表示特性測定装置の構成を示すブロック図である。
【図７Ａ】第１の実施形態における、表示装置の表示特性の調整（表示コントローラドライバの輝度補正回路の設定の調整）の際の調整装置の動作を示すフローチャートである。
【図７Ｂ】第１の実施形態における、表示装置の表示特性の調整（表示コントローラドライバの輝度補正回路の設定の調整）の際の調整装置の動作を示すフローチャートである。
【図８】第１の実施形態における、輝度補正回路の設定の調整の際の表示コントローラドライバの動作を示すタイミングチャートである。
【図９】第１の実施形態における、輝度補正回路の設定の調整の際の表示コントローラドライバの動作を示すタイミングチャートである。
【図１０】第２の実施形態における表示タイミングコントローラの構成を示すブロック図である。
【図１１Ａ】第２の実施形態における、表示装置の表示特性の調整（表示コントローラドライバの輝度補正回路の設定の調整）の際の調整装置の動作を示すフローチャートである。
【図１１Ｂ】第２の実施形態における、表示装置の表示特性の調整（表示コントローラドライバの輝度補正回路の設定の調整）の際の調整装置の動作を示すフローチャートである。
【図１２】第２の実施形態における、輝度補正回路の設定の調整の際の表示コントローラドライバの動作を示すタイミングチャートである。
【図１３】第２の実施形態における、輝度補正回路の設定の調整の際の表示コントローラドライバの動作を示すタイミングチャートである。
【図１４】第２の実施形態における、評価用画像の階調の切り替えの検出、及び、階調と測定データとの対応関係の決定を示す概念図である。
【図１５】第３の実施形態における表示タイミングコントローラの構成を示すブロック図である。
【図１６】第３の実施形態における、表示装置の表示特性の調整（表示コントローラドライバの輝度補正回路の設定の調整）の際の表示コントローラドライバの動作を示すフローチャートである。
【図１７】第３の実施形態における、輝度補正回路の設定の調整の際の表示コントローラドライバの動作を示すタイミングチャートである。
【図１８】第３の実施形態における、輝度補正回路の設定の調整の際の表示コントローラドライバの動作を示すタイミングチャートである。
【発明を実施するための形態】
【００１７】
第１の実施形態：
（全体構成）
図３は、本発明の第１の実施形態の表示装置１０の構成を示すブロック図である。本実施形態の表示装置１０は、液晶表示装置として構成されており、タイミングコントローラ１と、表示コントローラドライバ２と、液晶表示パネル３とを備えている。タイミングコントローラ１と表示コントローラドライバ２とは、高速データ通信線４によって接続されており、高速データ通信線４を伝送される高速インターフェース信号により、相互にデータを通信可能である。
【００１８】
タイミングコントローラ１は、（通常動作時に）表示コントローラドライバ２の動作を制御する制御部として機能する。タイミングコントローラ１は、タイミング生成部１１と、画像データ生成部１２と、インターフェース処理部１３とを備えている。タイミング生成部１１は、表示コントローラドライバ２の動作タイミングを制御するためのタイミング制御データを生成する。タイミング制御データは、表示コントローラドライバ２の内部で垂直同期信号の生成に使用されるＶＳＹＮＣコマンド、各水平同期信号の生成に使用されるＨＳＹＮＣコマンド、画像データの送信が開始されることを示すＤａｔａスタートコマンド、及び、画像データの送信が終了したことを示すＤａｔａエンドコマンドを含む。画像データ生成部１２は、液晶表示パネル３に表示されるべき画像に対応する画像データを生成する。画像データは、液晶表示パネル３の各画素の各色（本実施形態では、赤（Ｒ）、緑（Ｇ）、青（Ｂ））の階調（gray-level）を示すデータである。インターフェース処理部１３は、これらのタイミング制御データおよび画像データを、高速データ通信線４で伝送される高速インターフェース信号により、表示コントローラドライバ２に転送する。
【００１９】
表示コントローラドライバ２は、タイミングコントローラ１から受け取ったタイミング制御データおよび画像データに応答して液晶表示パネル３を駆動する表示パネルドライバとして機能する。表示コントローラドライバ２の構成と動作については、後に詳細に説明する。
【００２０】
液晶表示パネル３は、表示部３１と、走査線駆動回路３２とを備えている。表示部３１は、行列に配置された画素と、複数の信号線と、複数の走査線とを備えている。本実施形態では、各画素が、３つの副画素：赤色（Ｒ）を表示するＲ副画素、緑色（Ｇ）を表示するＧ副画素、及び、青色（Ｂ）を表示するＢ副画素を備えている。画像データには、各画素の赤色、緑色、青色の階調の値、即ち、Ｒ副画素、Ｇ副画素、Ｂ副画素の階調の値が記述されている。各副画素は、信号線、走査線が交差する位置の近傍に設けられている。表示部３１の信号線は、上述の表示コントローラドライバ２によって駆動され、表示部３１の走査線は、走査線駆動回路３２によって駆動される。走査線駆動回路３２は、表示コントローラドライバ２から供給される制御信号に応答して走査線を駆動する。一実施形態では、走査線駆動回路３２は、ＣＯＧ（circuit on glass）を用いて液晶表示パネル３のガラス基板上に形成される。走査線駆動回路３２は、ガラス基板上に実装されたＩＣ（integrated circuit）として実装されてもよい。
【００２１】
続いて、本実施形態の表示コントローラドライバ２について詳細に説明する。本実施形態の表示コントローラドライバ２の一つの特徴は、表示コントローラドライバ２を特定の状態（特定の動作モード）に設定するだけで、表示装置１０の表示特性の調整に用いられる画像（評価用画像）を順次に切り換えながら表示する動作を行うように構成されている点にある。このとき、評価用画像の切り替えに使用されるタイミング制御信号も、表示コントローラドライバ２自らが生成する。このような構成の表示コントローラドライバ２によれば、表示装置１０の表示特性の調節の際に、評価用画像に対応する画像データや、タイミング制御のためのデータを表示コントローラドライバ２に供給する必要が無くなり、低コストの調整装置で表示装置１０の表示特性の調節を行うことが可能になる。
【００２２】
詳細には、本実施形態の表示コントローラドライバ２は、インターフェース処理部２１と、画像データ生成部２２と、輝度補正回路２３と、データラッチ２４と、信号線駆動回路２５と、表示タイミング生成部２６と、レジスタ初期値格納ＲＯＭ２７と、レジスタ部２８とを備えている。
【００２３】
インターフェース処理部２１は、タイミングコントローラ１から高速データ通信線４を介して高速インターフェース信号を受け取る。インターフェース処理部２１は、下記の機能を有している。第１に、インターフェース処理部２１は、当該高速インターフェース信号で転送された画像データを画像データ生成部２２に転送する。図３では、画像データ生成部２２に転送された画像データが、外部画像データＩＭＡＧＥ＿ＤＡＴＡ＿ＩＯとして図示されている。加えて、インターフェース処理部２１は、高速インターフェース信号で転送されたタイミング制御データを解釈してタイミング制御信号を生成する。生成されるタイミング制御信号は、外部垂直同期信号ＶＳＹＮＣ＿ＩＯ、外部水平同期信号ＨＳＹＮＣ＿ＩＯを含んでいる。更に、インターフェース処理部２１は、レジスタ初期値格納ＲＯＭ２７にデータ書き込みを行う機能、及び、レジスタ部２８に含まれるレジスタへの書き込み及び該レジスタからの読み出しを行う機能を有している。
【００２４】
画像データ生成部２２は、実際に表示部３１の信号線の駆動に用いられる画像データを輝度補正回路２３に供給するためのものであり、評価用画像データ生成回路２２ａとセレクタ２２ｂとを備えている。
【００２５】
評価用画像データ生成回路２２ａは、表示装置１０の表示特性の調整、即ち、表示コントローラドライバ２の設定の調整の際に使用される画像データを、表示コントローラドライバ２の内部で生成するために使用される回路である。評価用画像データ生成回路２２ａによって生成される画像データは、以下、評価用画像データＩＭＡＧＥ＿ＤＡＴＡ＿ＩＩと記載する。
【００２６】
セレクタ２２ｂは、インターフェース処理部２１から受け取った外部画像データＩＭＡＧＥ＿ＤＡＴＡ＿ＩＯと、評価用画像データ生成回路２２ａから受け取った評価用画像データＩＭＡＧＥ＿ＤＡＴＡ＿ＩＩのいずれかを選択し、選択した画像データを輝度補正回路２３に供給する。図３では、輝度補正回路２３に供給される画像データが、画像データＩＭＡＧＥ＿ＤＡＴＡ＿Ｉとして示されている。セレクタ２２ｂの状態は、レジスタ値ＲＥＧ＿ＧＡＭ＿ＴＥＳＴに応じて切り換えられる。後述されるように、表示コントローラドライバ２が通常動作モードに設定される場合、レジスタ値ＲＥＧ＿ＧＡＭ＿ＴＥＳＴが“０”に設定される。セレクタ２２ｂは、レジスタ値ＲＥＧ＿ＧＡＭ＿ＴＥＳＴが“０”であることに応答して外部画像データＩＭＡＧＥ＿ＤＡＴＡ＿ＩＯを選択する。一方、表示コントローラドライバ２がテストモードに設定される場合、レジスタ値ＲＥＧ＿ＧＡＭ＿ＴＥＳＴが“１”に設定される。セレクタ２２ｂは、レジスタ値ＲＥＧ＿ＧＡＭ＿ＴＥＳＴが“１”であることに応答して評価用画像データＩＭＡＧＥ＿ＤＡＴＡ＿ＩＩを選択する。
【００２７】
輝度補正回路２３は、画像データＩＭＡＧＥ＿ＤＡＴＡ＿Ｉに対して補正演算（例えば、ガンマ補正）を行い、補正した画像データをデータラッチ２４に供給する。画像データＩＭＡＧＥ＿ＤＡＴＡ＿Ｉに対する補正は、レジスタ部２８から輝度補正回路２３に与えられる輝度補正パラメータ値ＲＥＧ＿ＣＯＲＲＥＣＴＩＯＮに基づいて行われる。ここで、輝度補正パラメータ値ＲＥＧ＿ＣＯＲＲＥＣＴＩＯＮは、輝度補正回路２３に入力される画像データＩＭＡＧＥ＿ＤＡＴＡ＿Ｉの階調値と、輝度補正回路２３から出力される画像データの階調値との間の対応関係を設定する少なくとも一のパラメータ値である。輝度補正パラメータ値ＲＥＧ＿ＣＯＲＲＥＣＴＩＯＮにより、補正演算によって実現されるべきガンマカーブが指定され、輝度補正回路２３では、指定されたガンマカーブに対応する補正演算が行われることになる。本実施形態では、輝度補正パラメータ値ＲＥＧ＿ＣＯＲＲＥＣＴＩＯＮとして複数のパラメータ値が与えられ、図３では、そのうちの２つが、輝度補正パラメータ値ＲＥＧ＿ＣＯＲＲＥＣＴＩＯＮ＿Ａ、ＲＥＧ＿ＣＯＲＲＥＣＴＩＯＮ＿Ｂとして図示されている。
【００２８】
データラッチ２４及び信号線駆動回路２５は、補正された画像データを輝度補正回路２３から受け取り、該補正された画像データに応答して液晶表示パネル３を駆動する駆動部として機能する。詳細には、データラッチ２４は、表示タイミング生成部２６から供給される垂直同期信号ＶＳＹＮＣ＿Ｉ、水平同期信号ＨＳＹＮＣ＿Ｉに応答して、補正された画像データを輝度補正回路２３から受け取ってラッチし、信号線駆動回路２５へ転送する。信号線駆動回路２５は、データラッチ２４から受け取った画像データを適切な信号レベルの駆動信号に変換し、該駆動信号を液晶表示パネル３の表示部３１の信号線に供給する。
【００２９】
表示タイミング生成部２６は、表示コントローラドライバ２で使用される様々なタイミング制御信号を生成する機能を有しており、評価用表示タイミング生成回路２６ａとセレクタ２６ｂとを備えている。評価用表示タイミング生成回路２６ａは、液晶表示パネル３の画像の調整、即ち、表示コントローラドライバ２の動作の調整の際に使用されるタイミング制御信号を、表示コントローラドライバ２の内部で生成するために使用される回路である。評価用表示タイミング生成回路２６ａによって生成されるタイミング制御信号は、内部垂直同期信号ＶＳＹＮＣ＿ＩＩと、内部水平同期信号ＨＳＹＮＣ＿ＩＩとを含んでいる。
【００３０】
評価用表示タイミング生成回路２６ａは、更に、表示コントローラドライバ２の外部に出力される２つの制御信号：テストイネーブル信号ＧＡＭ＿ＴＥＳＴ＿ＥＮＡＢＬＥ及び評価用画像切り替え信号ＧＡＭ＿ＴＥＳＴ＿ＩＮＣを生成する機能を有している。後述されるように、テストイネーブル信号ＧＡＭ＿ＴＥＳＴ＿ＥＮＡＢＬＥ及び評価用画像切り替え信号ＧＡＭ＿ＴＥＳＴ＿ＩＮＣは、表示装置１０の表示特性の調整、即ち、輝度補正回路２３の設定の調整を行う際に使用される調整装置に供給される制御信号である。テストイネーブル信号ＧＡＭ＿ＴＥＳＴ＿ＥＮＡＢＬＥは外部接続端子２ａから外部に出力され、評価用画像切り替え信号ＧＡＭ＿ＴＥＳＴ＿ＩＮＣは外部接続端子２ｂから外部に出力される。
【００３１】
セレクタ２６ｂは、インターフェース処理部２１から受け取ったタイミング制御信号の組（外部垂直同期信号ＶＳＹＮＣ＿ＩＯ、外部水平同期信号ＨＳＹＮＣ＿ＩＯを含んでいる）と、評価用表示タイミング生成回路２６ａから受け取ったタイミング制御信号の組（内部垂直同期信号ＶＳＹＮＣ＿ＩＩと、内部水平同期信号ＨＳＹＮＣ＿ＩＩとを含んでいる）のいずれかを選択し、選択したタイミング制御信号の組を出力する。表示タイミング生成部２６から出力されたタイミング制御信号の組は、垂直同期信号ＶＳＹＮＣ＿Ｉ、水平同期信号ＨＳＹＮＣ＿Ｉを含んでいる。垂直同期信号ＶＳＹＮＣ＿Ｉ、水平同期信号ＨＳＹＮＣ＿Ｉは、データラッチ２４に供給されてラッチ動作のタイミングに使用されると共に、走査線駆動回路３２の動作タイミングの制御に使用される。セレクタ２６ｂの状態は、レジスタ値ＲＥＧ＿ＧＡＭ＿ＴＥＳＴに応じて切り換えられる。後述されるように、表示コントローラドライバ２が通常動作モードに設定される場合、レジスタ値ＲＥＧ＿ＧＡＭ＿ＴＥＳＴが“０”に設定される。セレクタ２６ｂは、レジスタ値ＲＥＧ＿ＧＡＭ＿ＴＥＳＴが“０”であることに応答してインターフェース処理部２１から受け取ったタイミング制御信号の組（外部垂直同期信号ＶＳＹＮＣ＿ＩＯ、外部水平同期信号ＨＳＹＮＣ＿ＩＯ）を選択する。一方、表示コントローラドライバ２がテストモードに設定される場合、レジスタ値ＲＥＧ＿ＧＡＭ＿ＴＥＳＴが“１”に設定される。セレクタ２６ｂは、レジスタ値ＲＥＧ＿ＧＡＭ＿ＴＥＳＴが“１”であることに応答して評価用表示タイミング生成回路２６ａから受け取ったタイミング制御信号の組（内部垂直同期信号ＶＳＹＮＣ＿ＩＩ、内部水平同期信号ＨＳＹＮＣ＿ＩＩ）を選択する。
【００３２】
レジスタ初期値格納ＲＯＭ２７及びレジスタ部２８は、画像データ生成部２２、及び、表示タイミング生成部２６に、それらの制御に使用されるレジスタ値を供給すると共に、輝度補正回路２３に輝度補正パラメータ値ＲＥＧ＿ＣＯＲＲＥＣＴＩＯＮを供給する機能を有している。
【００３３】
詳細には、レジスタ部２８は、表示特性評価用テストモード設定レジスタ２８ａと、輝度補正パラメータ設定レジスタ２８ｂとを備えている。表示特性評価用テストモード設定レジスタ２８ａは、次の４つのレジスタ値：ＲＥＧ＿ＧＡＭ＿ＴＥＳＴ、ＲＥＧ＿ＧＡＭ＿ＦＲＡＭＥ、ＲＥＧ＿ＧＡＭ＿ＳＴＥＰ、及び、ＲＥＧ＿ＩＭＡＧＥ＿ＢＩＴを保持するために用いられる。ここで、レジスタ値ＲＥＧ＿ＧＡＭ＿ＴＥＳＴは、上述されているように、表示コントローラドライバ２が通常動作モードとテストモードのいずれに設定されているかを示すレジスタ値である。レジスタ値ＲＥＧ＿ＧＡＭ＿ＦＲＡＭＥ、ＲＥＧ＿ＧＡＭ＿ＳＴＥＰ、及び、ＲＥＧ＿ＩＭＡＧＥ＿ＢＩＴは、表示コントローラドライバ２の動作の調整の際、各フレーム期間における評価用画像データＩＭＡＧＥ＿ＤＡＴＡ＿ＩＩの生成に使用される値である。レジスタ値ＲＥＧ＿ＧＡＭ＿ＦＲＡＭＥ、ＲＥＧ＿ＧＡＭ＿ＳＴＥＰ、及び、ＲＥＧ＿ＩＭＡＧＥ＿ＢＩＴについては、後に詳細に説明する。
【００３４】
レジスタ初期値格納ＲＯＭ２７は、表示コントローラドライバ２の電源がオンになったときに、表示特性評価用テストモード設定レジスタ２８ａ及び輝度補正パラメータ設定レジスタ２８ｂに設定されるべき初期値を不揮発的に保持する。表示コントローラドライバ２の電源がオンになると、レジスタ初期値格納ＲＯＭ２７に記憶されていたレジスタ値ＲＥＧ＿ＧＡＭ＿ＴＥＳＴ、ＲＥＧ＿ＧＡＭ＿ＦＲＡＭＥ、ＲＥＧ＿ＧＡＭ＿ＳＴＥＰ、及び、ＲＥＧ＿ＩＭＡＧＥ＿ＢＩＴの値が表示特性評価用テストモード設定レジスタ２８ａに設定され、更に、レジスタ初期値格納ＲＯＭ２７に記憶されていた輝度補正パラメータ値ＲＥＧ＿ＣＯＲＲＥＣＴＩＯＮの値が輝度補正パラメータ設定レジスタ２８ｂに設定される。後述されるように、レジスタ初期値格納ＲＯＭ２７は書き換え可能である。
【００３５】
続いて、上記のように構成された表示装置１０及び表示コントローラドライバ２の動作について説明する。
【００３６】
（通常動作の説明）
まず、表示装置１０が通常動作を行うとき、即ち、表示コントローラドライバ２が通常動作モードに設定される時の動作を説明する。図４は、表示コントローラドライバ２の動作を示すタイミングチャートであり、図５は、図４の点線部の拡大図である。
【００３７】
表示コントローラドライバ２の電源がオンにされると、レジスタ初期値格納ＲＯＭ２７から初期値が読みだされ、表示特性評価用テストモード設定レジスタ２８ａ、及び、輝度補正パラメータ設定レジスタ２８ｂに設定される。このとき、レジスタ初期値格納ＲＯＭ２７に格納されているレジスタ値ＲＥＧ＿ＧＡＭ＿ＴＥＳＴの初期値が“０”であることから、図４に図示されているように、レジスタ値ＲＥＧ＿ＧＡＭ＿ＴＥＳＴは“０”に設定され、これにより、表示コントローラドライバ２が通常動作モードに設定される。また、輝度補正パラメータ値ＲＥＧ＿ＣＯＲＲＥＣＴＩＯＮの値が輝度補正パラメータ設定レジスタ２８ｂに設定され、これにより、輝度補正回路２３は、輝度補正パラメータ値ＲＥＧ＿ＣＯＲＲＥＣＴＩＯＮの値に応じた補正演算を行うように設定される。
【００３８】
更に、図５に示されているように、高速インターフェース信号により、タイミングコントローラ１からタイミング制御データと画像データとが表示コントローラドライバ２に供給される。上述のように、タイミング制御データは、表示コントローラドライバ２の内部で垂直同期信号の生成に使用されるＶＳＹＮＣコマンド、各水平同期信号の生成に使用されるＨＳＹＮＣコマンド、画像データの送信が開始されることを示すＤａｔａスタートコマンド、及び、画像データの送信が終了したことを示すＤａｔａエンドコマンドを含む。
【００３９】
表示コントローラドライバ２のインターフェース処理部２１は、ＶＳＹＮＣコマンドに応答して外部垂直同期信号ＶＳＹＮＣ＿ＩＯを生成する。ＶＳＹＮＣコマンドには、外部垂直同期信号ＶＳＹＮＣ＿ＩＯをＨｉｇｈレベルにすることを指示するコマンドと、外部垂直同期信号ＶＳＹＮＣ＿ＩＯをＬｏｗレベルにすることを指示するコマンドとがあり、これらのＶＳＹＮＣコマンドが適宜のタイミングで送られることにより、外部垂直同期信号ＶＳＹＮＣ＿ＩＯは、各フレーム期間（垂直同期期間）の開始時に所定期間だけ活性化されるように生成される。図５では、外部垂直同期信号ＶＳＹＮＣ＿ＩＯがローアクティブの信号であるとして図示されていることに留意されたい。
【００４０】
更に、インターフェース処理部２１は、ＨＳＹＮＣコマンドに応答して外部水平同期信号ＨＳＹＮＣ＿ＩＯを生成する。ＨＳＹＮＣコマンドには、外部水平同期信号ＨＳＹＮＣ＿ＩＯをＨｉｇｈレベルにすることを指示するコマンドと、外部水平同期信号ＨＳＹＮＣ＿ＩＯをＬｏｗレベルにすることを指示するコマンドとがあり、これらのＨＳＹＮＣコマンドが適宜のタイミングで送られることにより、外部水平同期信号ＨＳＹＮＣ＿ＩＯは、各水平同期期間の開始時に所定期間だけ活性化されるように生成される。
【００４１】
また、Ｄａｔａスタートコマンドを受け取ると、インターフェース処理部２１は、その後に続くデータが画像データであると認識し、Ｄａｔａスタートコマンドに続いて受信したデータを外部画像データＩＭＡＧＥ＿ＤＡＴＡ＿ＩＯとして出力する。また、Ｄａｔａエンドコマンドを受け取ると、画像データの送信が完了したことを認識し、インターフェース処理部２１は、外部画像データＩＭＡＧＥ＿ＤＡＴＡ＿ＩＯの出力を停止する。
【００４２】
このとき、レジスタ値ＲＥＧ＿ＧＡＭ＿ＴＥＳＴが“０”に設定されていることに応答して、画像データ生成部２２のセレクタ２２ｂは、インターフェース処理部２１から供給された外部画像データＩＭＡＧＥ＿ＤＡＴＡ＿ＩＯを輝度補正回路２３に供給する。輝度補正回路２３は、受け取った外部画像データＩＭＡＧＥ＿ＤＡＴＡ＿ＩＯに対して輝度補正パラメータ設定レジスタ２８ｂに設定された輝度補正パラメータ値ＲＥＧ＿ＣＯＲＲＥＣＴＩＯＮに応じた補正演算を行い、補正後の画像データをデータラッチ２４に供給する。
【００４３】
加えて、表示タイミング生成部２６のセレクタ２６ｂは、レジスタ値ＲＥＧ＿ＧＡＭ＿ＴＥＳＴが“０”に設定されていることに応答して、インターフェース処理部２１から供給された外部垂直同期信号ＶＳＹＮＣ＿ＩＯ及び外部水平同期信号ＨＳＹＮＣ＿ＩＯを、最終的に表示コントローラドライバ２の各回路で用いられる垂直同期信号ＶＳＹＮＣ＿Ｉ及び水平同期信号ＨＳＹＮＣ＿Ｉとして出力する。データラッチ２４は、垂直同期信号ＶＳＹＮＣ＿Ｉ及び水平同期信号ＨＳＹＮＣ＿Ｉに同期したタイミングで、補正後の画像データを輝度補正回路２３からラッチする。また、垂直同期信号ＶＳＹＮＣ＿Ｉ及び水平同期信号ＨＳＹＮＣ＿Ｉは液晶表示パネル３の走査線駆動回路３２に供給され、走査線駆動回路３２は、垂直同期信号ＶＳＹＮＣ＿Ｉ及び水平同期信号ＨＳＹＮＣ＿Ｉに同期して表示部３１の走査線を駆動する。
【００４４】
データラッチ２４によってラッチされた画像データは、信号線駆動回路２５に供給される。信号線駆動回路２５は、受け取った画像データに応答して、表示部３１の信号線を駆動する。
【００４５】
以上の動作により、通常動作時には、タイミングコントローラ１から表示コントローラドライバ２に送られるタイミング制御データに応じたタイミングで、タイミングコントローラ１から表示コントローラドライバ２に送られる画像データの画像が液晶表示パネル３の表示部３１に表示される。
【００４６】
（表示特性の調整）
続いて、図３に図示されている構成の表示装置１０の表示特性の調整について説明する。本実施形態では、表示装置１０の表示特性の調整は、表示コントローラドライバ２の輝度補正回路２３の設定を調整する、即ち、レジスタ初期値格納ＲＯＭ２７に格納されている、輝度補正パラメータ設定レジスタ２８ｂに設定されるべき輝度補正パラメータ値ＲＥＧ＿ＣＯＲＲＥＣＴＩＯＮの値を調節することによって行われる。
【００４７】
表示コントローラドライバ２の輝度補正回路２３の設定の調節を行う場合、図６に図示されているように、調整装置５と表示特性測定装置６とが使用される。調整装置５は、タイミングコントローラ１の代わりに高速データ通信線４に接続され、更に、表示コントローラドライバ２の外部接続端子２ａ、２ｂに接続される。これにより、調整装置５は、高速データ通信線４を介して表示コントローラドライバ２を設定することが可能になり、また、外部接続端子２ａ、２ｂから出力されるテストイネーブル信号ＧＡＭ＿ＴＥＳＴ＿ＥＮＡＢＬＥ及び評価用画像切り替え信号ＧＡＭ＿ＴＥＳＴ＿ＩＮＣを受け取ることが可能になる。一方、表示特性測定装置６は、調整装置５に接続される。表示特性測定装置６は、表示装置１０の表示特性を測定する装置である。本実施形態では、表示特性測定装置６は、液晶表示パネル３の表示部３１に表示される評価用画像の画像特性を測定する。
【００４８】
詳細には、調整装置５は、表示コントローラドライバ２との通信に用いられるインターフェース処理部５１と、表示特性測定装置６との通信に用いられるインターフェース処理部５２と、補正パラメータ算出装置５３とを備えている。補正パラメータ算出装置５３は、表示特性測定装置制御信号を生成する表示特性測定装置制御信号生成部５４と、最終的にレジスタ初期値格納ＲＯＭ２７に書きこまれるべき輝度補正パラメータ値ＲＥＧ＿ＣＯＲＲＥＣＴＩＯＮの値を算出する補正パラメータ算出部５５とを備えている。表示特性測定装置制御信号生成部５４と補正パラメータ算出部５５とは、ハードウェアとして実装されてもよいし、ハードウェアとソフトウェアの組み合わせとして実装されてもよい。表示特性測定装置制御信号生成部５４と補正パラメータ算出部５５とは、例えば、ＦＰＧＡ（field programmable gate array）又はマイコンとを搭載した基板として実装されてもよい。また、表示特性測定装置制御信号生成部５４と補正パラメータ算出部５５の機能が、ソフトウェアと演算装置の組み合わせによって実現されてもよい。
【００４９】
表示特性測定装置６は、操作部６１と測定センサ部６２とを備えている。測定センサ部６２は、液晶表示パネル３の表示部３１に表示される評価用画像の画像特性を測定するセンサを備えている。測定される画像特性は、ホワイトポイントの調整に用いられる画像特性と、ガンマ値の調整に用いられる画像特性とを含んでいる。ホワイトポイントの調整に用いられる画像特性として、ｘｙＹ表色系において規定されている色度座標ｘ、ｙが測定されてもよいし、評価用画像の色温度が直接に測定されてもよい。また、ガンマ値の調整に用いられる画像特性としては、表示部３１に表示される評価用画像の輝度が測定されてもよい。操作部６１は、調整装置５から供給される表示特性測定装置制御信号に応答して測定センサ部６２を動作させて評価用画像の画像特性を測定し、該画像特性を示す測定データを調整装置５に送信する。後述されるように、輝度補正回路２３の設定（即ち、輝度補正パラメータ値ＲＥＧ＿ＣＯＲＲＥＣＴＩＯＮの値）は、表示特性測定装置６によって得られた測定データに基づいて、評価用画像の階調が切り替えられても色温度が一定になるように調節される。
【００５０】
本実施形態の表示コントローラドライバ２の一つの特徴は、輝度補正回路２３の設定を調整するためのモードが用意されていることである。以下、このモードを「テストモード」と呼ぶことにする。輝度補正回路２３の設定を調整する場合、表示コントローラドライバ２は、評価用画像を表示するテストモードに設定される。テストモードに設定されると、表示コントローラドライバ２は、評価用画像に対応する評価用画像データＩＭＡＧＥ＿ＤＡＴＡ＿ＩＩをその内部で生成し、更に、評価用画像の切り替えタイミングを表示コントローラドライバ２自身が制御する。表示コントローラドライバ２自身が評価用画像データＩＭＡＧＥ＿ＤＡＴＡ＿ＩＩを生成し、更に、評価用画像の切り替えタイミングを制御することにより、表示コントローラドライバ２にタイミング制御データ及び画像データを供給する機能を調整装置５に持たせる必要がなくなり、調整装置５のコストを低減させることができる。このような利点は、表示コントローラドライバ２が高速シリアルインターフェースで通信を行うように構成されている場合に特に顕著になる。なお、輝度補正回路２３の設定を調節する場合、タイミングコントローラ１の動作は停止される。
【００５１】
図７は、表示装置１０の表示特性の調整、即ち、表示コントローラドライバ２の輝度補正回路２３の設定の調整の際の調整装置５の動作を示すフローチャートである。また、図８、図９は、輝度補正回路２３の設定を調整するときの表示コントローラドライバ２の動作を示すタイミングチャートである。
【００５２】
表示装置１０の表示特性の調整、即ち、輝度補正回路２３の設定の調整は、次の４つの期間：初期設定期間、表示特性測定期間、補正パラメータ算出期間、及び、補正パラメータ書き込み期間に区分される。図８は、初期設定期間、及び、表示特性測定期間における表示コントローラドライバ２の動作を示すタイミングチャートであり、図９は、補正パラメータ算出期間、及び、補正パラメータ書き込み期間における表示コントローラドライバ２の動作を示すタイミングチャートである。
【００５３】
表示コントローラドライバ２のレジスタ初期値格納ＲＯＭ２７には、次の４つのレジスタ値ＲＥＧ＿ＧＡＭ＿ＴＥＳＴ、ＲＥＧ＿ＧＡＭ＿ＦＲＡＭＥ、ＲＥＧ＿ＧＡＭ＿ＳＴＥＰ、及び、ＲＥＧ＿ＩＭＡＧＥ＿ＢＩＴの初期値が格納されている。ここで、レジスタ値ＲＥＧ＿ＧＡＭ＿ＴＥＳＴは、表示コントローラドライバ２が通常動作モードとテストモードのいずれに設定されているかを示す値であり、レジスタ初期値格納ＲＯＭ２７に格納されている初期値は“０”である。レジスタ値ＲＥＧ＿ＧＡＭ＿ＦＲＡＭＥは、各階調の評価用画像が表示される期間の長さを、フレーム期間を単位として指定する値である。また、レジスタ値ＲＥＧ＿ＧＡＭ＿ＳＴＥＰは、評価用画像が切り換えられる際の階調の増分を示す値である。更に、レジスタ値ＲＥＧ＿ＩＭＡＧＥ＿ＢＩＴは、画像データに含まれる、各画素の各色の階調の値のビット数を示す値であり、本実施形態では、“８”が設定される。
【００５４】
加えて、レジスタ初期値格納ＲＯＭ２７には、輝度補正パラメータ設定レジスタ２８ｂに設定されるべき輝度補正パラメータ値ＲＥＧ＿ＣＯＲＲＥＣＴＩＯＮの初期値が格納されている。上述されているように、輝度補正パラメータ値ＲＥＧ＿ＣＯＲＲＥＣＴＩＯＮは、輝度補正回路２３に入力される画像データＩＭＡＧＥ＿ＤＡＴＡ＿Ｉの階調値と、輝度補正回路２３から出力される画像データの階調値との間の対応関係を指定するパラメータ値である。ここで、輝度補正回路２３の設定の調整の前には、輝度補正回路２３に入力される階調値と画像データの階調値とが線形的な関係になるような輝度補正パラメータ値ＲＥＧ＿ＣＯＲＲＥＣＴＩＯＮが、輝度補正パラメータ設定レジスタ２８ｂの初期値としてレジスタ初期値格納ＲＯＭ２７に格納されている。
【００５５】
図７を参照して、初期設定期間では、まず、表示コントローラドライバ２の電源がオンにされる（ステップＳ０１）。表示コントローラドライバ２の電源がオンにされると、レジスタ値ＲＥＧ＿ＧＡＭ＿ＴＥＳＴ、ＲＥＧ＿ＧＡＭ＿ＦＲＡＭＥ、ＲＥＧ＿ＧＡＭ＿ＳＴＥＰ、及び、ＲＥＧ＿ＩＭＡＧＥ＿ＢＩＴの初期値が、レジスタ初期値格納ＲＯＭ２７から読みだされて表示特性評価用テストモード設定レジスタ２８ａに設定される。加えて、輝度補正パラメータ値ＲＥＧ＿ＣＯＲＲＥＣＴＩＯＮの初期値が輝度補正パラメータ設定レジスタ２８ｂに設定される。
【００５６】
並行して、調整装置５の補正パラメータ算出装置５３は、レジスタ値ＲＥＧ＿ＧＡＭ＿ＦＲＡＭＥ及び／又はＲＥＧ＿ＧＡＭ＿ＳＴＥＰの外部設定が必要か否かを判断する（ステップＳ０２）。表示特性評価用テストモード設定レジスタ２８ａに設定されるレジスタ値ＲＥＧ＿ＧＡＭ＿ＦＲＡＭＥを、レジスタ初期値格納ＲＯＭ２７にあらかじめ格納されている初期値と異なる値に設定する必要がある場合、調整装置５の補正パラメータ算出装置５３は、表示コントローラドライバ２に、高速データ通信線４を介してＲＥＧ＿ＧＡＭ＿ＦＲＡＭＥ書き込みコマンドを送信する（ステップＳ０３）。ＲＥＧ＿ＧＡＭ＿ＦＲＡＭＥ書き込みコマンドには、表示特性評価用テストモード設定レジスタ２８ａに設定すべきレジスタ値ＲＥＧ＿ＧＡＭ＿ＦＲＡＭＥの値が記述されている。表示コントローラドライバ２のインターフェース処理部２１は、ＲＥＧ＿ＧＡＭ＿ＦＲＡＭＥ書き込みコマンドを受け取ると、表示特性評価用テストモード設定レジスタ２８ａのレジスタ値ＲＥＧ＿ＧＡＭ＿ＦＲＡＭＥの値をＲＥＧ＿ＧＡＭ＿ＦＲＡＭＥ書き込みコマンドに記述されている値に設定する。
【００５７】
同様に、表示特性評価用テストモード設定レジスタ２８ａに設定されるレジスタ値ＲＥＧ＿ＧＡＭ＿ＳＴＥＰを、レジスタ初期値格納ＲＯＭ２７にあらかじめ格納されている初期値と異なる値に設定する必要がある場合、調整装置５の補正パラメータ算出装置５３は、表示コントローラドライバ２に、高速データ通信線４を介してＲＥＧ＿ＧＡＭ＿ＳＴＥＰ書き込みコマンドを送信する（ステップＳ０３）。ＲＥＧ＿ＧＡＭ＿ＳＴＥＰ書き込みコマンドには、表示特性評価用テストモード設定レジスタ２８ａに設定すべきレジスタ値ＲＥＧ＿ＧＡＭ＿ＳＴＥＰの値が記述されている。表示コントローラドライバ２のインターフェース処理部２１は、ＲＥＧ＿ＧＡＭ＿ＳＴＥＰ書き込みコマンドを受け取ると、表示特性評価用テストモード設定レジスタ２８ａのレジスタ値ＲＥＧ＿ＧＡＭ＿ＳＴＥＰの値をＲＥＧ＿ＧＡＭ＿ＳＴＥＰ書き込みコマンドに記述されている値に設定する。図８には、ＲＥＧ＿ＧＡＭ＿ＦＲＡＭＥ書き込みコマンドとＲＥＧ＿ＧＡＭ＿ＳＴＥＰ書き込みコマンドの両方が表示コントローラドライバ２に供給される場合の動作が図示されている。
【００５８】
続いて、表示特性測定期間が開始される。表示特性測定期間では、まず、調整装置５の補正パラメータ算出装置５３が、表示特性評価用テストモード設定レジスタ２８ａのレジスタ値ＲＥＧ＿ＧＡＭ＿ＴＥＳＴを、特定値、より具体的には、“１”に設定する（ステップＳ０４）。これにより、表示コントローラドライバ２がテストモードに設定される。
【００５９】
表示特性評価用テストモード設定レジスタ２８ａのレジスタ値ＲＥＧ＿ＧＡＭ＿ＴＥＳＴが“１”に設定されると、画像データ生成部２２の評価用画像データ生成回路２２ａが活性化され、評価用画像データ生成回路２２ａが、評価用画像データＩＭＡＧＥ＿ＤＡＴＡ＿ＩＩの生成を開始する。加えて、セレクタ２２ｂは、輝度補正回路２３に供給される画像データＩＭＡＧＥ＿ＤＡＴＡ＿Ｉとして、評価用画像データＩＭＡＧＥ＿ＤＡＴＡ＿ＩＩを選択する。
【００６０】
加えて、レジスタ値ＲＥＧ＿ＧＡＭ＿ＴＥＳＴが“１”に設定されたことに応答して表示タイミング生成部２６の評価用表示タイミング生成回路２６ａが活性化され、評価用表示タイミング生成回路２６ａが、内部垂直同期信号ＶＳＹＮＣ＿ＩＩ、及び内部水平同期信号ＨＳＹＮＣ＿ＩＩの生成を開始する。加えて、セレクタ２６ｂは、評価用表示タイミング生成回路２６ａによって生成された内部垂直同期信号ＶＳＹＮＣ＿ＩＩ、及び内部水平同期信号ＨＳＹＮＣ＿ＩＩを選択する。この結果、図８に図示されているように、表示コントローラドライバ２の各回路で実際に用いられる垂直同期信号ＶＳＹＮＣ＿Ｉ、及び水平同期信号ＨＳＹＮＣ＿Ｉとして、内部垂直同期信号ＶＳＹＮＣ＿ＩＩ、及び内部水平同期信号ＨＳＹＮＣ＿ＩＩが出力される。
【００６１】
評価用画像データ生成回路２２ａは、垂直同期信号ＶＳＹＮＣ＿Ｉ及び水平同期信号ＨＳＹＮＣ＿Ｉに同期して、即ち、評価用表示タイミング生成回路２６ａによって生成された内部垂直同期信号ＶＳＹＮＣ＿ＩＩ、及び内部水平同期信号ＨＳＹＮＣ＿ＩＩに同期して、評価用画像データＩＭＡＧＥ＿ＤＡＴＡ＿ＩＩを順次に切り換える。
【００６２】
図８、図９の下欄には、評価用画像データＩＭＡＧＥ＿ＤＡＴＡ＿ＩＩの切り替え、即ち、表示部３１に表示される評価用画像の切り替えの具体例が図示されている。評価用画像データＩＭＡＧＥ＿ＤＡＴＡ＿ＩＩは、各評価用画像において、赤色の階調、緑色の階調、青色の階調が同一値であるように生成される。加えて、評価用画像データＩＭＡＧＥ＿ＤＡＴＡ＿ＩＩは、レジスタ値ＲＥＧ＿ＧＡＭ＿ＦＲＡＭＥに指定された数のフレーム期間ごとにレジスタ値ＲＥＧ＿ＧＡＭ＿ＳＴＥＰに指定された値だけ階調が変化するように生成される。図８、図９には、レジスタ値ＲＥＧ＿ＧＡＭ＿ＦＲＡＭＥが６００、レジスタ値ＲＥＧ＿ＧＡＭ＿ＳＴＥＰが１１ｈである場合における評価用画像の切り替えについて図示されている。
【００６３】
まず、レジスタ値ＲＥＧ＿ＧＡＭ＿ＴＥＳＴが“１”に設定された直後においては、評価用画像データＩＭＡＧＥ＿ＤＡＴＡ＿ＩＩは、表示部３１に表示される評価用画像が、全ての画素について、赤色の階調、緑色の階調、青色の階調がいずれも００ｈであるように生成される。赤色の階調、緑色の階調、青色の階調がいずれも００ｈである評価用画像データＩＭＡＧＥ＿ＤＡＴＡ＿ＩＩに対応した評価用画像は、レジスタ値ＲＥＧ＿ＧＡＭ＿ＦＲＡＭＥに指定された数のフレーム期間の間（即ち、６００フレーム期間の間）、表示される。
【００６４】
続いて、赤色の階調、緑色の階調、青色の階調がレジスタ値ＲＥＧ＿ＧＡＭ＿ＳＴＥＰに指定された値（即ち、１１ｈ）だけ増加された評価用画像データＩＭＡＧＥ＿ＤＡＴＡ＿ＩＩに対応した評価用画像が、６００フレーム期間の間、表示される。以下、同様に、順次に階調を増加させることで、評価用画像が切り換えられる。このような評価用画像の切り替えは、赤色、緑色、青色の階調の値が、いずれも２ＲＥＧ＿ＩＭＡＧＥ＿ＢＩＴ−１（即ち、本実施形態では“ＦＦｈ”）である評価用画像データＩＭＡＧＥ＿ＤＡＴＡ＿ＩＩに対応した評価用画像の表示が完了するまで継続される。
【００６５】
ここで、評価用画像データ生成回路２２ａにはレジスタ値ＲＥＧ＿ＧＡＭ＿ＦＲＡＭＥ、ＲＥＧ＿ＧＡＭ＿ＳＴＥＰ、ＲＥＧ＿ＩＭＡＧＥ＿ＢＩＴ、及び、垂直同期信号ＶＳＹＮＣ＿Ｉが供給されるので、評価用画像データ生成回路２２ａが上記のような評価用画像データＩＭＡＧＥ＿ＤＡＴＡ＿ＩＩの切り替えを実現できることは当業者には容易に理解されよう。
【００６６】
輝度補正回路２３は、受け取った画像データＩＭＡＧＥ＿ＤＡＴＡ＿Ｉ（即ち、評価用画像データＩＭＡＧＥ＿ＤＡＴＡ＿ＩＩ）に対応する画像データを信号線駆動回路２５に供給する。ここで、輝度補正回路２３の設定の調整の前には、輝度補正回路２３に入力される階調値と画像データの階調値とが線形的な関係になるような輝度補正パラメータ値ＲＥＧ＿ＣＯＲＲＥＣＴＩＯＮが輝度補正パラメータ設定レジスタ２８ｂから供給されるため、輝度補正回路２３は、画像データＩＭＡＧＥ＿ＤＡＴＡ＿Ｉをそのまま信号線駆動回路２５に供給することになる。信号線駆動回路２５は、輝度補正回路２３から受け取った画像データに応答して液晶表示パネル３の表示部３１の信号線を駆動する。これにより、表示部３１に評価用画像が表示される。
【００６７】
評価用画像の表示部３１への表示と並行して、評価用表示タイミング生成回路２６ａは、テストイネーブル信号ＧＡＭ＿ＴＥＳＴ＿ＥＮＡＢＬＥと、評価用画像切り替え信号ＧＡＭ＿ＴＥＳＴ＿ＩＮＣとを調整装置５に供給する。ここで、テストイネーブル信号ＧＡＭ＿ＴＥＳＴ＿ＥＮＡＢＬＥは、評価用画像の表示部３１への表示が開始されることを示す制御信号である。また、評価用画像切り替え信号ＧＡＭ＿ＴＥＳＴ＿ＩＮＣは、評価用画像の切り替えが行われることを示す制御信号である。
【００６８】
詳細には、図８に図示されているように、評価用表示タイミング生成回路２６ａは、表示特性評価用テストモード設定レジスタ２８ａのレジスタ値ＲＥＧ＿ＧＡＭ＿ＴＥＳＴが“１”に設定されたことに応答して、テストイネーブル信号ＧＡＭ＿ＴＥＳＴ＿ＥＮＡＢＬＥを活性化すると共に、評価用画像切り替え信号ＧＡＭ＿ＴＥＳＴ＿ＩＮＣの供給を開始する。評価用画像切り替え信号ＧＡＭ＿ＴＥＳＴ＿ＩＮＣは、評価用画像の階調が切り換えられる直前に所定時間だけ活性化される。図８では、テストイネーブル信号ＧＡＭ＿ＴＥＳＴ＿ＥＮＡＢＬＥ及び評価用画像切り替え信号ＧＡＭ＿ＴＥＳＴ＿ＩＮＣは、いずれもハイアクティブの信号として図示されている。
【００６９】
更に、テストイネーブル信号ＧＡＭ＿ＴＥＳＴ＿ＥＮＡＢＬＥが活性化されると（ステップＳ０５）、図７に示されているように、調整装置５は、表示特性測定装置６を操作して、表示装置１０の表示特性、即ち、表示部３１に表示される評価用画像の画像特性の測定を開始する（ステップＳ０６〜Ｓ１１）。詳細には、テストイネーブル信号ＧＡＭ＿ＴＥＳＴ＿ＥＮＡＢＬＥの活性化に応答して、調整装置５の表示特性測定装置制御信号生成部５４および補正パラメータ算出部５５が活性化される。表示特性測定装置制御信号生成部５４は、インターフェース処理部５２を介して表示特性測定装置制御信号を表示特性測定装置６に転送し、表示特性測定装置６に表示部３１に表示される評価用画像の画像特性の測定を開始させる（ステップＳ０６）。
【００７０】
表示特性測定装置６は、調整装置５より送信された表示特性測定装置制御信号に従い測定を開始し、表示部３１に表示された評価用画像の画像特性を継続的に測定する。測定される画像特性は、ホワイトポイントの調整に用いられる画像特性と、ガンマ値の調整に用いられる画像特性とを含んでいる。ホワイトポイントの調整に用いられる画像特性として、ｘｙＹ表色系において規定されている色度座標ｘ、ｙが測定されてもよいし、評価用画像の色温度が直接に測定されてもよい。また、ガンマ値の調整に用いられる画像特性としては、表示部３１に表示される評価用画像の輝度が測定されてもよい。表示特性測定装置６は、評価用画像の画像特性の測定データを調整装置５に逐次に転送する。
【００７１】
表示特性測定装置６から調整装置５に転送された測定データは、インターフェース処理部５２を介して補正パラメータ算出部５５に格納されていく（ステップＳ０６）。補正パラメータ算出部５５は、調整装置５に転送された測定データを、評価用画像の階調と対応づけて格納する。
【００７２】
ここで、補正パラメータ算出部５５は、評価用画像切り替え信号ＧＡＭ＿ＴＥＳＴ＿ＩＮＣが活性化されると評価用画像の階調が切り替わったことを認識する（ステップＳ０７）。補正パラメータ算出部５５は、評価用画像切り替え信号ＧＡＭ＿ＴＥＳＴ＿ＩＮＣが活性化されると、階調が切り替わる前の任意の測定データから、前の階調における測定結果を確定する（ステップＳ０８）。一例としては、評価用画像切り替え信号ＧＡＭ＿ＴＥＳＴ＿ＩＮＣが活性化された後、非活性化される（即ち、Ｌｏｗレベルになる）直前の測定データをその階調における測定結果としてもよい。その後、補正パラメータ算出部５５は、次の階調に対応する測定データを格納していく。
【００７３】
このような動作は、テストイネーブル信号ＧＡＭ＿ＴＥＳＴ＿ＥＮＡＢＬＥが活性化されている間、継続して行われる（ステップＳ１０）。
【００７４】
全ての評価用画像の表示が完了すると、表示コントローラドライバ２の評価用表示タイミング生成回路２６ａは、テストイネーブル信号ＧＡＭ＿ＴＥＳＴ＿ＥＮＡＢＬＥを非活性化する、即ち、Ｌｏｗレベルにする（ステップＳ１０）。テストイネーブル信号ＧＡＭ＿ＴＥＳＴ＿ＥＮＡＢＬＥが非活性化されると、表示特性測定装置制御信号生成部５４は、インターフェース処理部５２を介して表示特性測定装置制御信号を表示特性測定装置６に転送し、表示部３１に表示される評価用画像の画像特性の測定を停止する。以上で、表示特性測定期間が完了する。
【００７５】
表示装置１０の表示特性の１度目の測定が完了すると（ステップＳ１１）、補正パラメータ算出期間が開始される。補正パラメータ算出期間では、補正パラメータ算出部５５が、測定された表示装置１０の表示特性、即ち、表示部３１に表示された評価用画像の画像特性から、目標の表示特性となるような輝度補正パラメータ値ＲＥＧ＿ＣＯＲＲＥＣＴＩＯＮを算出する（ステップＳ１２）。
【００７６】
輝度補正パラメータ値ＲＥＧ＿ＣＯＲＲＥＣＴＩＯＮの算出が完了すると、補正パラメータ書き込み期間が開始される。補正パラメータ書き込み期間では、ステップＳ１２で算出された輝度補正パラメータ値ＲＥＧ＿ＣＯＲＲＥＣＴＩＯＮが、インターフェース処理部５１を介して表示コントローラドライバ２に転送され（ステップＳ１３）、レジスタ初期値格納ＲＯＭ２７、及び、輝度補正パラメータ設定レジスタ２８ｂに書き込まれる。図９に図示されているように、輝度補正パラメータ値ＲＥＧ＿ＣＯＲＲＥＣＴＩＯＮの書き込みは、補正パラメータ書き込みコマンドを表示コントローラドライバ２に転送することで行われる。補正パラメータ書き込みコマンドには、書き込むべき輝度補正パラメータ値ＲＥＧ＿ＣＯＲＲＥＣＴＩＯＮの値が記述されている。補正パラメータ書き込みコマンドを受け取ると、表示コントローラドライバ２のインターフェース処理部２１は、補正パラメータ書き込みコマンドに記述されている輝度補正パラメータ値ＲＥＧ＿ＣＯＲＲＥＣＴＩＯＮを、レジスタ初期値格納ＲＯＭ２７、及び、輝度補正パラメータ設定レジスタ２８ｂに書き込む。
【００７７】
その後、再度、同様の手順により、表示装置１０の表示特性が再測定される（ステップＳ０４〜Ｓ１１）。このとき、輝度補正回路２３では、受け取った画像データＩＭＡＧＥ＿ＤＡＴＡ＿Ｉ（即ち、評価用画像データＩＭＡＧＥ＿ＤＡＴＡ＿ＩＩ）に対し、輝度補正パラメータ設定レジスタ２８ｂに設定された輝度補正パラメータ値ＲＥＧ＿ＣＯＲＲＥＣＴＩＯＮに応じて補正演算が行われ、補正演算によって得られた画像データに基づいて表示部３１に評価用画像が表示される。更に、再測定の結果から、表示装置１０の表示特性が、目標とする表示特性の範囲内となっているか確認され（ステップＳ１４）、動作が終了する。
【００７８】
上述されているような第１の実施形態における表示装置１０の表示特性の調節方法によれば、低コストの調整装置５により、表示装置１０の表示特性の調節を行うことができる。特に、本実施形態では、表示特性評価用テストモード設定レジスタ２８ａのレジスタ値ＲＥＧ＿ＧＡＭ＿ＴＥＳＴの値を設定するだけで（より具体的には、“１”に設定するだけで）、評価用画像を順次に切り換えながら表示することができる。これは、表示コントローラドライバ２が、評価用画像に対応する画像データ、及び、評価用画像の表示タイミングを制御するタイミング制御信号（例えば、垂直同期信号及び水平同期信号）を自動生成し、表示部３１に評価用画像を順次表示する機能を有しているためである。一般的に、レジスタ設定を行うためには、高速に信号を伝送する必要性がない。よって、レジスタ設定のみで評価用画像を順次に切り換る機能を表示コントローラドライバ２に与えることは、調整装置５の低コスト化や設計難易度の低下などのメリットにつながる。
【００７９】
第２の実施形態：
図１０は、本発明の第２の実施形態の表示コントローラドライバ２の構成を示すブロック図である。第２の実施形態では、表示コントローラドライバ２から、テストイネーブル信号ＧＡＭ＿ＴＥＳＴ＿ＥＮＡＢＬＥ、及び、評価用画像切り替え信号ＧＡＭ＿ＴＥＳＴ＿ＩＮＣを調整装置５に供給する機能が削除されている。これは、表示コントローラドライバ２と調整装置５とを接続する通信線の数を低減させるために有効である。表示装置１０に調整装置５を外部接続して表示装置１０の表示特性を調節するような場合、コストや配線実装の問題から、表示コントローラドライバ２と調整装置５とを接続する通信線の数は、少ない方が好ましい。
【００８０】
第２の実施形態の表示コントローラドライバ２の動作は、テストイネーブル信号ＧＡＭ＿ＴＥＳＴ＿ＥＮＡＢＬＥ、及び、評価用画像切り替え信号ＧＡＭ＿ＴＥＳＴ＿ＩＮＣを調整装置５に出力しない点を除けば、第１の実施形態と同様である。表示特性評価用テストモード設定レジスタ２８ａのレジスタ値ＲＥＧ＿ＧＡＭ＿ＴＥＳＴの値が“１”に設定されると、表示コントローラドライバ２は、評価用画像に対応する画像データ、及び、評価用画像の表示タイミングを制御するタイミング制御信号（例えば、垂直同期信号及び水平同期信号）を自動生成し、表示部３１に評価用画像を順次表示する。
【００８１】
ここで、テストイネーブル信号ＧＡＭ＿ＴＥＳＴ＿ＥＮＡＢＬＥ、及び、評価用画像切り替え信号ＧＡＭ＿ＴＥＳＴ＿ＩＮＣが表示コントローラドライバ２から出力されない本実施形態では、調整装置５が、表示コントローラドライバ２と非同期で動作することになる。そこで、調整装置５の動作が、表示部３１に表示される評価用画像の画像特性の測定結果から、測定の開始、終了、及び、評価用画像の階調の切り替え、調整装置５が検出するように変更される。調整装置５は、表示特性測定装置６から逐次に転送される測定データを解析し、各階調の評価用画像について測定された画像特性の測定値を確定する。
【００８２】
一つの問題は、表示部３１に表示された評価用画像の画像特性の測定の際に、調整装置５が、現在、どの階調の評価用画像が表示部３１に表示されているかの情報を表示コントローラドライバ２から知らされないことである。この問題に対処するために、本実施形態では、調整装置５が、画像特性の測定データの変化（例えば、時間的に前後する２つの測定データの測定値の差分又は変化率）をモニターすることで、評価用画像の切り替えを検出する。更に、調整装置５は、階調の最大値と、評価用画像の切り替えの際の階調の増分とから、表示部３１に表示される評価用画像の数ｍを算出する。ここで、階調の最大値は、表示コントローラドライバ２に設定されるレジスタ値ＲＥＧ＿ＩＭＡＧＥ＿ＢＩＴから、２ＲＥＧ＿ＩＭＡＧＥ＿ＢＩＴ−１と算出でき、また、評価用画像の切り替えの際の階調の増分は、レジスタ値ＲＥＧ＿ＧＡＭ＿ＳＴＥＰとして表示コントローラドライバ２に設定されているので、既知である。調整装置５は、ｍ個の評価用画像のそれぞれについて画像特性の測定データを得た後、その測定データに示されている画像の輝度の測定値の順に並び替えを実施することで、階調と、表示部３１に表示された評価用画像の画像特性の測定データとの対応を決定することができる。
【００８３】
以下、第２の実施形態における、表示装置１０の表示特性の調整、即ち、表示コントローラドライバ２の輝度補正回路２３の設定の調整について詳細に説明する。
【００８４】
図１１は、表示装置１０の表示特性の調整、即ち、表示コントローラドライバ２の輝度補正回路２３の設定の調整の際の調整装置５の動作を示すフローチャートであり、図１２、図１３は、輝度補正回路２３の設定を調整するときの表示コントローラドライバ２の動作を示すタイミングチャートである。ここで、図１２は、初期設定期間、及び、表示特性測定期間における表示コントローラドライバ２の動作を示すタイミングチャートであり、図１３は、補正パラメータ算出期間、及び、補正パラメータ書き込み期間における表示コントローラドライバ２の動作を示すタイミングチャートである。
【００８５】
図１１を参照して、初期設定期間では、まず、表示コントローラドライバ２の電源がオンにされる（ステップＳ２０）。表示コントローラドライバ２の電源がオンにされると、レジスタ値ＲＥＧ＿ＧＡＭ＿ＴＥＳＴ、ＲＥＧ＿ＧＡＭ＿ＦＲＡＭＥ、ＲＥＧ＿ＧＡＭ＿ＳＴＥＰ、及び、ＲＥＧ＿ＩＭＡＧＥ＿ＢＩＴの初期値が、レジスタ初期値格納ＲＯＭ２７から読みだされて表示特性評価用テストモード設定レジスタ２８ａに設定される。加えて、輝度補正パラメータ値ＲＥＧ＿ＣＯＲＲＥＣＴＩＯＮの初期値が輝度補正パラメータ設定レジスタ２８ｂに設定される。
【００８６】
並行して、調整装置５の補正パラメータ算出装置５３は、レジスタ値ＲＥＧ＿ＧＡＭ＿ＦＲＡＭＥ及び／又はＲＥＧ＿ＧＡＭ＿ＳＴＥＰの外部設定が必要か否かを判断する（ステップＳ２１）。表示特性評価用テストモード設定レジスタ２８ａに設定されるレジスタ値ＲＥＧ＿ＧＡＭ＿ＦＲＡＭＥを、レジスタ初期値格納ＲＯＭ２７にあらかじめ格納されている初期値と異なる値に設定する必要がある場合、調整装置５の補正パラメータ算出装置５３は、表示コントローラドライバ２にＲＥＧ＿ＧＡＭ＿ＦＲＡＭＥ書き込みコマンドを送信し、表示特性評価用テストモード設定レジスタ２８ａのレジスタ値ＲＥＧ＿ＧＡＭ＿ＦＲＡＭＥを所望の値に設定する（ステップＳ２２）。同様に、表示特性評価用テストモード設定レジスタ２８ａに設定されるレジスタ値ＲＥＧ＿ＧＡＭ＿ＳＴＥＰを、レジスタ初期値格納ＲＯＭ２７にあらかじめ格納されている初期値と異なる値に設定する必要がある場合、調整装置５の補正パラメータ算出装置５３は、表示コントローラドライバ２にＲＥＧ＿ＧＡＭ＿ＳＴＥＰ書き込みコマンドを送信し、表示特性評価用テストモード設定レジスタ２８ａのレジスタ値ＲＥＧ＿ＧＡＭ＿ＳＴＥＰを所望の値に設定する（ステップＳ２２）。図１２には、ＲＥＧ＿ＧＡＭ＿ＦＲＡＭＥ書き込みコマンドとＲＥＧ＿ＧＡＭ＿ＳＴＥＰ書き込みコマンドの両方が表示コントローラドライバ２に供給される場合の動作が図示されている。
【００８７】
更に、表示特性評価用テストモード設定レジスタ２８ａに設定されているレジスタ値ＲＥＧ＿ＧＡＭ＿ＳＴＥＰ、及び、ＲＥＧ＿ＩＭＡＧＥ＿ＢＩＴの読み出しが行われる（ステップＳ２３）。詳細には、図１２に図示されているように、調整装置５の補正パラメータ算出部５５は、ＲＥＧ＿ＧＡＭ＿ＳＴＥＰ読み出しコマンドを表示コントローラドライバ２に送信する。表示コントローラドライバ２のインターフェース処理部２１は、ＲＥＧ＿ＧＡＭ＿ＳＴＥＰ読み出しコマンドに応答してレジスタ値ＲＥＧ＿ＧＡＭ＿ＳＴＥＰを表示特性評価用テストモード設定レジスタ２８ａから読み出し、調整装置５に送信する。更に、調整装置５の補正パラメータ算出部５５は、ＲＥＧ＿ＩＭＡＧＥ＿ＢＩＴ読み出しコマンドを表示コントローラドライバ２に送信する。表示コントローラドライバ２のインターフェース処理部２１は、ＲＥＧ＿ＩＭＡＧＥ＿ＢＩＴ読み出しコマンドに応答してレジスタ値ＲＥＧ＿ＩＭＡＧＥ＿ＢＩＴを表示特性評価用テストモード設定レジスタ２８ａから読み出し、調整装置５に送信する。
【００８８】
なお、レジスタ値ＲＥＧ＿ＧＡＭ＿ＳＴＥＰ、ＲＥＧ＿ＩＭＡＧＥ＿ＢＩＴの値が調整装置５にとって既知である場合には、レジスタ値ＲＥＧ＿ＧＡＭ＿ＳＴＥＰ、ＲＥＧ＿ＩＭＡＧＥ＿ＢＩＴの読み出しは行う必要がない。
【００８９】
続いて、表示特性測定期間が開始される。表示特性測定期間では、まず、調整装置５の補正パラメータ算出装置５３が、表示特性評価用テストモード設定レジスタ２８ａのレジスタ値ＲＥＧ＿ＧＡＭ＿ＴＥＳＴを“１”に設定する（ステップＳ０４）。これにより、表示コントローラドライバ２がテストモードに設定される。レジスタ値ＲＥＧ＿ＧＡＭ＿ＴＥＳＴの設定は、ＲＥＧ＿ＧＡＭ＿ＴＥＳＴ書き込みコマンドを表示コントローラドライバ２に送信することによって行われる。
【００９０】
表示特性評価用テストモード設定レジスタ２８ａのレジスタ値ＲＥＧ＿ＧＡＭ＿ＴＥＳＴが“１”に設定されると、第１の実施形態と同様に、表示コントローラドライバ２は、評価用画像を表示部３１に表示し始める。上述されているように、評価用画像の階調は、逐次に切り換えられる。
【００９１】
その一方で、調整装置５は、ＲＥＧ＿ＧＡＭ＿ＴＥＳＴ書き込みコマンドを表示コントローラドライバ２に送った後、適宜のタイミングで、表示装置１０の表示特性、即ち、表示部３１に表示される評価用画像の画像特性の測定を開始する（ステップＳ２６〜Ｓ３１）。詳細には、調整装置５の表示特性測定装置制御信号生成部５４は、インターフェース処理部５２を介して表示特性測定装置制御信号を表示特性測定装置６に転送し、表示特性測定装置６に表示部３１に表示される評価用画像の画像特性の測定を開始させる（ステップＳ２６）。
【００９２】
表示特性測定装置６は、調整装置５より送信された表示特性測定装置制御信号に従い測定を開始し、表示部３１に表示された評価用画像の画像特性を継続的に測定する。表示特性測定装置６は、評価用画像の画像特性の測定データを調整装置５に逐次に転送する。
【００９３】
表示特性測定装置６から調整装置５に転送された測定データは、インターフェース処理部５２を介して補正パラメータ算出部５５に格納されていく（ステップＳ２７）。
【００９４】
このとき、画像特性の測定データの差分又は変化率が計算され（ステップＳ２８）、更に、計算された差分又は変化率から、評価用画像の階調の切り替えが検出される（ステップＳ２９）。
【００９５】
評価用画像の階調が切り替わったことが検出されると、補正パラメータ算出部５５は、階調が切り替わる前の任意の測定データから、前の階調における測定結果を確定する（ステップＳ３０）。その後、補正パラメータ算出部５５は、次の階調に対応する測定データを格納していく。
【００９６】
このような動作は、ステップＳ２４において計算された数の評価用画像データの全てに対応する測定データの収集が完了するまで継続される（ステップＳ３１）。
【００９７】
全ての評価用画像について測定データの収集が完了すると、補正パラメータ算出部５５は、その測定データに示されている画像の輝度の測定値の順に測定データに対してソート（並び替え）を実施することで、階調と、表示部３１に表示された評価用画像の画像特性の測定データとの対応を決定する（ステップＳ３２）。
【００９８】
図１４は、ステップＳ２８における評価用画像の階調の切り替えの検出、及び、測定データのソートによる階調と測定データとの対応関係の決定について詳細に説明する図である。図１４には、レジスタ値ＲＥＧ＿ＧＡＭ＿ＳＴＥＰが１１ｈであり、且つ、画像データにおいて各画素の各色が８ビットで表わされている場合、すなわち、評価用画像の階調の最大値が２５５（２８−１（ＦＦｈ））である場合における、各階調と測定データの対応づけが図示されている。
【００９９】
評価用画像の階調が切り替えられると、表示部３１に表示される評価用画像の画像特性が変化するので、表示特性測定装置６によって得られる測定データにも変化が現れる。この変化を利用して、評価用画像の階調の切り替えが検出される。図１４では、評価用画像の輝度の測定値の変化から、評価用画像の階調の切り替えを検出する例が図示されている。この例では、時間的に前後する２つの輝度の測定値の変化（差分又は変化率）が計算され、その変化から評価用画像の階調の切り替えが検出されている。
【０１００】
評価用画像の階調の切り替えが検出されると、ステップＳ２９において、切り替え前の階調についての測定データが決定される。図１４の例では、階調の切り替えの直前の測定データが、切り替え前の階調に対応する測定データと定められる。なお、この段階では、調整装置５にとって、各測定データに対応する階調の値は不知であることに留意されたい。
【０１０１】
このような手順が繰り返されることで、全ての評価用画像について測定データが取得される。ここで、階調の最大値と、評価用画像の切り替えの際の階調の増分とから、表示部３１に表示される評価用画像の数ｍがステップＳ２４において算出されているから、ｍ回の階調の切り替えを検出することで、全ての評価用画像の測定データが得られていると判断できることに留意されたい。この段階でも、調整装置５にとって、各測定データに対応する階調の値は不知である。
【０１０２】
ここで、測定データには、評価用画像の輝度の測定値が含まれているから、輝度の順に並び替えを実施することで、階調と、表示部３１に表示された評価用画像の画像特性の測定データとの対応を決定することができる。ここで、液晶表示パネル３がノーマリーブラックの液晶表示パネルとして構成されている場合には、階調の値が大きいほど輝度の測定値が大きくなる。この場合には、輝度の測定値が大きいほど大きな階調に対応するように、階調と、表示部３１に表示された評価用画像の画像特性の測定データとの対応が決定される。液晶表示パネル３がノーマリーホワイトの液晶表示パネルとして構成されている場合には、階調の値が大きいほど輝度の測定値が小さくなる。この場合には、輝度の測定値が小さいほど大きな階調に対応するように、階調と、表示部３１に表示された評価用画像の画像特性の測定データとの対応が決定される。
【０１０３】
以上の手順で表示装置１０の表示特性の１度目の測定が完了すると（ステップＳ３３）、補正パラメータ算出期間が開始される。補正パラメータ算出期間では、補正パラメータ算出部５５が、測定された表示装置１０の表示特性、即ち、表示部３１に表示された評価用画像の画像特性から、目標の表示特性となるような輝度補正パラメータ値ＲＥＧ＿ＣＯＲＲＥＣＴＩＯＮを算出する（ステップＳ３４）。
【０１０４】
輝度補正パラメータ値ＲＥＧ＿ＣＯＲＲＥＣＴＩＯＮの算出が完了すると、補正パラメータ書き込み期間が開始される。補正パラメータ書き込み期間では、ステップＳ１２で算出された輝度補正パラメータ値ＲＥＧ＿ＣＯＲＲＥＣＴＩＯＮが、インターフェース処理部５１を介して表示コントローラドライバ２に転送され、レジスタ初期値格納ＲＯＭ２７、及び、輝度補正パラメータ設定レジスタ２８ｂに書き込まれる（ステップＳ３５）。図１３に図示されているように、輝度補正パラメータ値ＲＥＧ＿ＣＯＲＲＥＣＴＩＯＮの書き込みは、補正パラメータ書き込みコマンドを表示コントローラドライバ２に転送することで行われる。表示コントローラドライバ２のインターフェース処理部２１は、補正パラメータ書き込みコマンドに記述されている輝度補正パラメータ値ＲＥＧ＿ＣＯＲＲＥＣＴＩＯＮを、レジスタ初期値格納ＲＯＭ２７、及び、輝度補正パラメータ設定レジスタ２８ｂに書き込む。
【０１０５】
その後、再度、同様の手順により、表示装置１０の表示特性が再測定される（ステップＳ２５〜Ｓ３２）。このとき、輝度補正回路２３では、受け取った画像データＩＭＡＧＥ＿ＤＡＴＡ＿Ｉ（即ち、評価用画像データＩＭＡＧＥ＿ＤＡＴＡ＿ＩＩ）に対し、輝度補正パラメータ設定レジスタ２８ｂに設定された輝度補正パラメータ値ＲＥＧ＿ＣＯＲＲＥＣＴＩＯＮに応じて補正演算が行われ、補正演算によって得られた画像データに基づいて表示部３１に評価用画像が表示される。更に、再測定の結果から、表示装置１０の表示特性が、目標とする表示特性の範囲内となっているか確認され（ステップＳ３６）、動作が終了する。
【０１０６】
上述されているような第２の実施形態における表示装置１０の表示特性の調節方法によれば、第１の実施形態と同様に、低コストの調整装置５により、表示装置１０の表示特性の調節を行うことができる。特に、本実施形態では、表示特性評価用テストモード設定レジスタ２８ａのレジスタ値ＲＥＧ＿ＧＡＭ＿ＴＥＳＴの値を設定するだけで（より具体的には、“１”に設定するだけで）、評価用画像を順次に切り換えながら表示することができる。これは、表示コントローラドライバ２が、評価用画像に対応する画像データ、及び、評価用画像の表示タイミングを制御するタイミング制御信号（例えば、垂直同期信号及び水平同期信号）を自動生成し、表示部３１に評価用画像を順次表示する機能を有しているためである。レジスタ設定のみで評価用画像を順次に切り換る機能を表示コントローラドライバ２に与えることは、調整装置５の低コスト化や設計難易度の低下などのメリットにつながる。
【０１０７】
加えて、第２の実施形態では、表示コントローラドライバ２から調整装置５に制御信号（本実施形態では、テストイネーブル信号ＧＡＭ＿ＴＥＳＴ＿ＥＮＡＢＬＥ、及び、評価用画像切り替え信号ＧＡＭ＿ＴＥＳＴ＿ＩＮＣ）が供給されないため、表示コントローラドライバ２と調整装置５とを接続する通信線の数を減少させることができる。これは、表示装置１０の実装（例えば、表示装置１０の調整装置５への接続）を容易にする点で好ましい。
【０１０８】
第３の実施形態：
図１５は、本発明の第３の実施形態の表示コントローラドライバ２の構成を示すブロック図である。第３の実施形態では、第１の実施形態の調整装置５の機能が表示コントローラドライバ２に組み込まれる。即ち、表示コントローラドライバ２に表示特性測定装置６を操作する機能が付加され、調整装置５は使用されない。加えて、表示コントローラドライバ２が、輝度補正回路２３の設定の調節を行う場合に活性化されるテストイネーブル信号ＧＡＭ＿ＴＥＳＴを受け取るように構成されると共に、輝度補正回路２３の設定が終了したことを示す補正完了信号ＧＡＭ＿ＴＥＳＴ＿ＦＩＮＩＳＨを出力するように構成される。
【０１０９】
詳細には、第３の実施形態の表示コントローラドライバ２は、表示特性測定装置制御信号を生成する表示特性測定装置制御信号生成部７１と、最終的にレジスタ初期値格納ＲＯＭ２７に書きこまれるべき輝度補正パラメータ値ＲＥＧ＿ＣＯＲＲＥＣＴＩＯＮの値を算出する補正パラメータ算出部７２と、表示特性測定装置６との通信に用いられるインターフェース処理部７３とを備えている。表示特性測定装置制御信号生成部７１の動作は、第１の実施形態の調整装置５の表示特性測定装置制御信号生成部５４と同様であり、補正パラメータ算出部７２の動作は、調整装置５の補正パラメータ算出部５５と同様である。表示特性測定装置制御信号生成部７１と補正パラメータ算出部７２とは、例えば、ハードウェア（即ち、回路）として表示コントローラドライバ２に集積化してもよい。また、表示特性測定装置制御信号生成部７１と補正パラメータ算出部７２とをハードウェアとして集積化する代わりに、それらの機能をソフトウェアと演算装置の組み合わせによって実現されてもよい。
【０１１０】
テストイネーブル信号ＧＡＭ＿ＴＥＳＴは、画像データ生成部２２、表示タイミング生成部２６、表示特性測定装置制御信号生成部７１と補正パラメータ算出部７２とに供給される。テストイネーブル信号ＧＡＭ＿ＴＥＳＴが活性化されると、画像データ生成部２２は、輝度補正回路２３に供給される画像データＩＭＡＧＥ＿ＤＡＴＡ＿Ｉとして、評価用画像データＩＭＡＧＥ＿ＤＡＴＡ＿ＩＩを出力する。詳細には、画像データ生成部２２の評価用画像データ生成回路２２ａは、テストイネーブル信号ＧＡＭ＿ＴＥＳＴの活性化に応答して評価用画像データＩＭＡＧＥ＿ＤＡＴＡ＿ＩＩを出力し、セレクタ２２ｂは、輝度補正回路２３に供給される画像データＩＭＡＧＥ＿ＤＡＴＡ＿Ｉとして、評価用画像データ生成回路２２ａから受け取った評価用画像データＩＭＡＧＥ＿ＤＡＴＡ＿ＩＩを選択する。
【０１１１】
また、表示タイミング生成部２６は、テストイネーブル信号ＧＡＭ＿ＴＥＳＴが活性化されると、評価用表示タイミング生成回路２６ａで生成したタイミング制御信号を、表示コントローラドライバ２の各回路で使用されるタイミング制御信号として出力する。より具体的には、表示タイミング生成部２６の評価用表示タイミング生成回路２６ａは、テストイネーブル信号ＧＡＭ＿ＴＥＳＴの活性化に応答して内部垂直同期信号ＶＳＹＮＣ＿ＩＩ及び内部水平同期信号ＨＳＹＮＣ＿ＩＩを出力する。セレクタ２６ｂは、評価用表示タイミング生成回路２６ａから受け取った内部垂直同期信号ＶＳＹＮＣ＿ＩＩ及び内部水平同期信号ＨＳＹＮＣ＿ＩＩを、表示コントローラドライバ２の各回路で使用される垂直同期信号ＶＳＹＮＣ＿Ｉ及び水平同期信号ＨＳＹＮＣ＿Ｉとして出力する。
【０１１２】
第３の実施形態の表示コントローラドライバ２のその他の構成については、第１の実施形態と同様である。
【０１１３】
図１６は、表示装置１０の表示特性の調整、即ち、表示コントローラドライバ２の輝度補正回路２３の設定の調整の際の表示コントローラドライバ２の動作を示すフローチャートである。また、図１７は、初期設定期間、及び、表示特性測定期間における表示コントローラドライバ２の動作を示すタイミングチャートであり、図１８は、補正パラメータ算出期間、及び、補正パラメータ書き込み期間における表示コントローラドライバ２の動作を示すタイミングチャートである。
【０１１４】
表示コントローラドライバ２のレジスタ初期値格納ＲＯＭ２７には、次の３つのレジスタ値ＲＥＧ＿ＧＡＭ＿ＦＲＡＭＥ、ＲＥＧ＿ＧＡＭ＿ＳＴＥＰ、及び、ＲＥＧ＿ＩＭＡＧＥ＿ＢＩＴの初期値が格納されている（本実施形態では、レジスタ値ＲＥＧ＿ＧＡＭ＿ＴＥＳＴは用いられず、その代わりに、テストイネーブル信号ＧＡＭ＿ＴＥＳＴが表示コントローラドライバ２に供給される）。加えて、レジスタ初期値格納ＲＯＭ２７には、輝度補正パラメータ設定レジスタ２８ｂに設定されるべき輝度補正パラメータ値ＲＥＧ＿ＣＯＲＲＥＣＴＩＯＮの初期値が格納されている。ここで、輝度補正回路２３の設定の調整の前には、輝度補正回路２３に入力される階調値と画像データの階調値とが線形的な関係になるような輝度補正パラメータ値ＲＥＧ＿ＣＯＲＲＥＣＴＩＯＮが、輝度補正パラメータ設定レジスタ２８ｂの初期値としてレジスタ初期値格納ＲＯＭ２７に格納されている。
【０１１５】
図１６を参照して、初期設定期間では、まず、表示コントローラドライバ２の電源がオンにされる（ステップＳ４０）。表示コントローラドライバ２の電源がオンにされると、レジスタ値ＲＥＧ＿ＧＡＭ＿ＦＲＡＭＥ、ＲＥＧ＿ＧＡＭ＿ＳＴＥＰ、及び、ＲＥＧ＿ＩＭＡＧＥ＿ＢＩＴの初期値が、レジスタ初期値格納ＲＯＭ２７から読みだされて表示特性評価用テストモード設定レジスタ２８ａに設定される。加えて、輝度補正パラメータ値ＲＥＧ＿ＣＯＲＲＥＣＴＩＯＮの初期値が輝度補正パラメータ設定レジスタ２８ｂに設定される。
【０１１６】
更に、レジスタ値ＲＥＧ＿ＧＡＭ＿ＳＴＥＰ、及び、ＲＥＧ＿ＩＭＡＧＥ＿ＢＩＴが輝度補正パラメータ設定レジスタ２８ｂから補正パラメータ算出部７２に読みだされる（ステップＳ４１）。補正パラメータ算出部７２は、レジスタ値ＲＥＧ＿ＧＡＭ＿ＳＴＥＰ、及び、ＲＥＧ＿ＩＭＡＧＥ＿ＢＩＴから、輝度補正回路２３の設定の調整に使用される評価用画像の数を計算する（ステップＳ４２）。
【０１１７】
続いて、表示特性測定期間が開始される。表示特性測定期間では、まず、テストイネーブル信号ＧＡＭ＿ＴＥＳＴが活性化される。本実施形態では、テストイネーブル信号ＧＡＭ＿ＴＥＳＴは、ハイアクティブの信号である。即ち、テストイネーブル信号ＧＡＭ＿ＴＥＳＴが活性化されると、Ｈｉｇｈレベルに設定されることになる。テストイネーブル信号ＧＡＭ＿ＴＥＳＴが活性化されると、表示コントローラドライバ２がテストモードに設定される。
【０１１８】
表示コントローラドライバ２がテストモードに設定されると、表示コントローラドライバ２の内部において、評価用画像の生成とタイミング制御信号の生成とが開始される。第３の実施形態の表示コントローラドライバ２における評価用画像の生成とタイミング制御信号の生成の動作は、第１の実施形態の表示コントローラドライバ２と同様である。
【０１１９】
詳細には、テストイネーブル信号ＧＡＭ＿ＴＥＳＴが活性化されると、画像データ生成部２２の評価用画像データ生成回路２２ａが活性化され、評価用画像データ生成回路２２ａが、評価用画像データＩＭＡＧＥ＿ＤＡＴＡ＿ＩＩの生成を開始する。加えて、セレクタ２２ｂは、輝度補正回路２３に供給される画像データＩＭＡＧＥ＿ＤＡＴＡ＿Ｉとして、評価用画像データＩＭＡＧＥ＿ＤＡＴＡ＿ＩＩを選択する。
【０１２０】
加えて、テストイネーブル信号ＧＡＭ＿ＴＥＳＴが活性化されると、表示タイミング生成部２６の評価用表示タイミング生成回路２６ａが活性化され、評価用表示タイミング生成回路２６ａが、内部垂直同期信号ＶＳＹＮＣ＿ＩＩ、及び内部水平同期信号ＨＳＹＮＣ＿ＩＩの生成を開始する。加えて、セレクタ２６ｂは、評価用表示タイミング生成回路２６ａによって生成された内部垂直同期信号ＶＳＹＮＣ＿ＩＩ、及び内部水平同期信号ＨＳＹＮＣ＿ＩＩを選択する。この結果、図１７に図示されているように、表示コントローラドライバ２の各回路で実際に用いられる垂直同期信号ＶＳＹＮＣ＿Ｉ、及び水平同期信号ＨＳＹＮＣ＿Ｉとして、内部垂直同期信号ＶＳＹＮＣ＿ＩＩ、及び内部水平同期信号ＨＳＹＮＣ＿ＩＩが出力される。
【０１２１】
評価用画像データ生成回路２２ａは、垂直同期信号ＶＳＹＮＣ＿Ｉ及び水平同期信号ＨＳＹＮＣ＿Ｉに同期して、即ち、評価用表示タイミング生成回路２６ａによって生成された内部垂直同期信号ＶＳＹＮＣ＿ＩＩ、及び内部水平同期信号ＨＳＹＮＣ＿ＩＩに同期して、評価用画像データＩＭＡＧＥ＿ＤＡＴＡ＿ＩＩを順次に切り換える。図１７、図１８の下欄には、評価用画像データＩＭＡＧＥ＿ＤＡＴＡ＿ＩＩの切り替え、即ち、表示部３１に表示される評価用画像の切り替えの具体例が図示されている。
【０１２２】
輝度補正回路２３は、受け取った画像データＩＭＡＧＥ＿ＤＡＴＡ＿Ｉ（即ち、評価用画像データＩＭＡＧＥ＿ＤＡＴＡ＿ＩＩ）に対応する画像データを信号線駆動回路２５に供給する。ここで、輝度補正回路２３の設定の調整の前には、輝度補正回路２３に入力される階調値と画像データの階調値とが線形的な関係になるような輝度補正パラメータ値ＲＥＧ＿ＣＯＲＲＥＣＴＩＯＮが輝度補正パラメータ設定レジスタ２８ｂから供給されるため、輝度補正回路２３は、画像データＩＭＡＧＥ＿ＤＡＴＡ＿Ｉをそのまま信号線駆動回路２５に供給することになる。信号線駆動回路２５は、輝度補正回路２３から受け取った画像データに応答して液晶表示パネル３の表示部３１の信号線を駆動する。これにより、表示部３１に評価用画像が表示される。
【０１２３】
評価用画像の表示部３１への表示と並行して、表示特性測定装置制御信号生成部７１は、表示特性測定装置６を操作して、表示装置１０の表示特性、即ち、表示部３１に表示される評価用画像の画像特性の測定を開始する（ステップＳ４４〜Ｓ４８）。詳細には、表示特性測定装置制御信号生成部７１は、インターフェース処理部７３を介して表示特性測定装置制御信号を表示特性測定装置６に転送し、表示特性測定装置６に表示部３１に表示される評価用画像の画像特性の測定を開始させる（ステップＳ４４）。
【０１２４】
表示特性測定装置６は、表示特性測定装置制御信号生成部７１より送信された表示特性測定装置制御信号に従い測定を開始し、表示部３１に表示された評価用画像の画像特性を継続的に測定する。測定される画像特性は、ホワイトポイントの調整に用いられる画像特性と、ガンマ値の調整に用いられる画像特性とを含んでいる。ホワイトポイントの調整に用いられる画像特性として、ｘｙＹ表色系において規定されている色度座標ｘ、ｙが測定されてもよいし、評価用画像の色温度が直接に測定されてもよい。また、ガンマ値の調整に用いられる画像特性としては、表示部３１に表示される評価用画像の輝度が測定されてもよい。表示特性測定装置６は、評価用画像の画像特性の測定データを表示コントローラドライバ２に逐次に転送する。
【０１２５】
表示特性測定装置６から表示コントローラドライバ２に転送された測定データは、インターフェース処理部７３を介して補正パラメータ算出部７２に格納されていく（ステップＳ４５）。補正パラメータ算出部７２は、調整装置５に転送された測定データを、評価用画像の階調と対応づけて格納する。
【０１２６】
ここで、補正パラメータ算出部７２は、表示特性評価用テストモード設定レジスタ２８ａに設定されたレジスタ値ＲＥＧ＿ＧＡＭ＿ＦＲＡＭＥと、垂直同期信号ＶＳＹＮＣ＿Ｉ、及び水平同期信号ＨＳＹＮＣ＿Ｉとから、評価用画像の階調が切り替わったことを認識する（ステップＳ４６）。補正パラメータ算出部７２は、評価用画像の階調が切り替わったことを認識すると、階調が切り替わる前の任意の測定データから、前の階調における測定結果を確定する（ステップＳ４７）。一例としては、評価用画像の階調が切り替わった直前の測定データをその階調における測定結果としてもよい。その後、補正パラメータ算出部７２は、次の階調に対応する測定データを格納していく。
【０１２７】
このような動作は、全ての評価用画像について、画像特性の測定データの収集が完了するまで継続して行われる（ステップＳ４８）。
【０１２８】
全ての評価用画像の画像特性の測定データの収集が完了すると、表示特性測定装置制御信号生成部７１は、インターフェース処理部７３を介して表示特性測定装置制御信号を表示特性測定装置６に転送し、表示部３１に表示される評価用画像の画像特性の測定を停止する。以上で、表示特性測定期間が完了する。
【０１２９】
続いて、補正パラメータ算出期間が開始される。補正パラメータ算出期間では、補正パラメータ算出部７２が、測定された表示装置１０の表示特性、即ち、表示部３１に表示された評価用画像の画像特性から、目標の表示特性となるような輝度補正パラメータ値ＲＥＧ＿ＣＯＲＲＥＣＴＩＯＮを算出する（ステップＳ４９）。
【０１３０】
輝度補正パラメータ値ＲＥＧ＿ＣＯＲＲＥＣＴＩＯＮの算出が完了すると、補正パラメータ書き込み期間が開始される。補正パラメータ書き込み期間では、ステップＳ４９で算出された輝度補正パラメータ値ＲＥＧ＿ＣＯＲＲＥＣＴＩＯＮが、レジスタ初期値格納ＲＯＭ２７、及び、輝度補正パラメータ設定レジスタ２８ｂに書き込まれる（ステップＳ５０）。輝度補正パラメータ値ＲＥＧ＿ＣＯＲＲＥＣＴＩＯＮの書き込みが完了すると、補正パラメータ算出部７２は、補正完了信号ＧＡＭ＿ＴＥＳＴ＿ＦＩＮＩＳＨを活性化して、外部装置に輝度補正回路２３の設定が終了したことを知らせる。
【０１３１】
上述されているような第３の実施形態における表示装置１０の表示特性の調節方法によれば、低コストの外部装置により、表示装置１０の表示特性の調節を行うことができる。特に、本実施形態の表示コントローラドライバ２の構成及び動作によれば、テストイネーブル信号ＧＡＭ＿ＴＥＳＴを活性化するだけで、表示コントローラドライバ２内で評価用画像に対応する画像データ及びタイミング制御信号が自動的に生成され、表示部３１に評価用画像が順次表示される。更に、表示コントローラドライバ２の表示特性測定装置制御信号生成部７１によって表示特性測定装置６を制御する表示特性測定装置制御信号が生成される。加えて、補正パラメータ算出部７２で、表示特性測定装置６より転送される測定データが解析されて輝度補正パラメータ値ＲＥＧ＿ＣＯＲＲＥＣＴＩＯＮが算出され、算出された輝度補正パラメータ値ＲＥＧ＿ＣＯＲＲＥＣＴＩＯＮをレジスタ初期値格納ＲＯＭ２７に書き込まれる。このように、本実施形態では、テストイネーブル信号ＧＡＭ＿ＴＥＳＴを活性化し、補正完了信号ＧＡＭ＿ＴＥＳＴ＿ＦＩＮＩＳＨを受け取って処理する機能しか有していない外部装置で表示装置１０の表示特性の調節を行うことができる。これは、さらなる調整の低コスト化や設計難易度低下などのメリットにつながる。
【０１３２】
以上には、本発明の様々な実施形態が述べられているが、本発明は、上記の実施形態には限定されない。本発明が、様々な変更とともに実施され得ることは、当業者には自明的であろう。特に、上記には、液晶表示パネルを備えた液晶表示装置について本発明が適用された実施形態が記述されているが、本発明は、他の表示パネル（例えば、有機ＥＬ表示パネルやプラズマ表示パネル）を表示パネルドライバで駆動するパネル表示装置にも適用可能であることに留意されたい。
【符号の説明】
【０１３３】
１        ：タイミングコントローラ
２        ：表示コントローラドライバ
２ａ      ：外部接続端子
２ｂ      ：外部接続端子
３        ：液晶表示パネル
４        ：高速データ通信線
４ａ      ：ポート
５        ：調整装置
６        ：表示特性測定装置
１０      ：表示装置
１１      ：タイミング生成部
１２      ：画像データ生成部
１３      ：インターフェース処理部
２１      ：インターフェース処理部
２２      ：画像データ生成部
２２ａ    ：評価用画像データ生成回路
２２ｂ    ：セレクタ
２３      ：輝度補正回路
２４      ：データラッチ
２５      ：信号線駆動回路
２６      ：表示タイミング生成部
２６ａ    ：評価用表示タイミング生成回路
２６ｂ    ：セレクタ
２７      ：レジスタ初期値格納ＲＯＭ
２８      ：レジスタ部
２８ａ    ：表示特性評価用テストモード設定レジスタ
２８ｂ    ：輝度補正パラメータ設定レジスタ
３１      ：表示部
３２      ：走査線駆動回路
５１      ：インターフェース処理部
５２      ：インターフェース処理部
５３      ：補正パラメータ算出装置
５４      ：表示特性測定装置制御信号生成部
５５      ：補正パラメータ算出部
６１      ：操作部
６２      ：測定センサ部
７１      ：表示特性測定装置制御信号生成部
７２      ：補正パラメータ算出部
７３      ：インターフェース処理部
ＧＡＭ＿ＴＥＳＴ：テストイネーブル信号
ＧＡＭ＿ＴＥＳＴ＿ＥＮＡＢＬＥ：テストイネーブル信号
ＧＡＭ＿ＴＥＳＴ＿ＦＩＮＩＳＨ：補正完了信号
ＧＡＭ＿ＴＥＳＴ＿ＩＮＣ：評価用画像切り替え信号
ＨＳＹＮＣ＿Ｉ：水平同期信号
ＨＳＹＮＣ＿ＩＩ：内部水平同期信号
ＨＳＹＮＣ＿ＩＯ：外部水平同期信号
ＩＭＡＧＥ＿ＤＡＴＡ＿Ｉ：画像データ
ＩＭＡＧＥ＿ＤＡＴＡ＿ＩＩ：評価用画像データ
ＩＭＡＧＥ＿ＤＡＴＡ＿ＩＯ：外部画像データ
ＲＥＧ＿ＣＯＲＲＥＣＴＩＯＮ：輝度補正パラメータ値
ＲＥＧ＿ＧＡＭ＿ＦＲＡＭＥ：レジスタ値
ＲＥＧ＿ＧＡＭ＿ＳＴＥＰ：レジスタ値
ＲＥＧ＿ＧＡＭ＿ＴＥＳＴ：レジスタ値
ＲＥＧ＿ＩＭＡＧＥ＿ＢＩＴ：レジスタ値
ＶＳＹＮＣ＿Ｉ：垂直同期信号
ＶＳＹＮＣ＿ＩＩ：内部垂直同期信号
ＶＳＹＮＣ＿ＩＯ：外部垂直同期信号
【図１】
2014137585.tif 000003
【図２】
2014137585.tif 000004
【図３】
2014137585.tif 000005
【図４】
2014137585.tif 000006
【図５】
2014137585.tif 000007
【図６】
2014137585.tif 000008
【図７Ａ】
2014137585.tif 000009
【図７Ｂ】
2014137585.tif 000010
【図８】
2014137585.tif 000011
【図９】
2014137585.tif 000012
【図１０】
2014137585.tif 000013
【図１１Ａ】
2014137585.tif 000014
【図１１Ｂ】
2014137585.tif 000015
【図１２】
2014137585.tif 000016
【図１３】
2014137585.tif 000017
【図１４】
2014137585.tif 000018
【図１５】
2014137585.tif 000019
【図１６】
2014137585.tif 000020
【図１７】
2014137585.tif 000021
【図１８】
2014137585.tif 000022